(57)【要約】  本発明は、ダウンリンク制御情報の送信方法、ダウンリンク制御情報の検出方法、及びデバイスを提供する。方法は、端末デバイスにより、第１シグナリングを受信する段階であって、第１シグナリングは探索空間の構成情報を含む、段階と、端末デバイスにより、構成情報に基づいて、探索空間により占有される周波数領域リソース又はＣＣＥリソースを決定する段階と、端末デバイスにより、探索空間においてダウンリンク制御情報を検出する段階とを含む。ネットワークデバイスは、任意の周波数領域リソース又はＣＣＥリソースを占有すべく探索空間を構成してよい。端末デバイスは、第１シグナリングに基づいて、ネットワークデバイスにより構成された探索空間を決定し、タイムリーに、ダウンリンク制御情報を取得する。これは、データ伝送効率を効果的に向上させ、特に、１ｍｓより短い時間長のダウンリンク制御情報が、タイムリーに取得されることができないという課題を解決する。
2019517208.tif 000002
【特許請求の範囲】
【請求項１】
ダウンリンク制御情報の検出方法であって、
端末デバイスにより、第１シグナリングを受信する段階であって、前記第１シグナリングは、探索空間の構成情報を有する、段階と、
前記端末デバイスにより、前記探索空間の前記構成情報に基づいて、前記探索空間により占有される周波数領域リソース又は制御チャネルエレメント、ＣＣＥ、リソースを決定する段階と、
前記端末デバイスにより、前記探索空間においてダウンリンク制御情報を検出する段階と
を備える方法。
【請求項２】
前記端末デバイスにより、前記探索空間においてダウンリンク制御情報を前記検出する段階の前に、前記方法は、さらに、
前記端末デバイスにより、制御チャネルエリアを決定する段階であって、前記探索空間は前記制御チャネルエリア内に位置する、段階を備える、請求項１に記載の方法。
【請求項３】
前記探索空間の前記構成情報は、アグリゲーションレベルＬ及び探索空間開始ポイント識別子Ｙを示し、前記端末デバイスにより、前記探索空間の前記構成情報に基づいて、前記探索空間により占有されるＣＣＥリソースを前記決定する段階は、
前記端末デバイスにより、前記探索空間の前記構成情報に基づいて、番号が
【数４９】
2019517208.tif 000052
であるＣＣＥを前記探索空間が有することを決定する段階であって、ｉ＝０，...，Ｌ−１であり、ｍ＝０，...，Ｍ（Ｌ）−１であり、Ｍ（Ｌ）は、アグリゲーションレベルがＬである探索空間に含まれる候補ダウンリンク制御チャネルの数であり、ＮＣＣＥは、前記探索空間により占有される伝送時間間隔において利用可能なＣＣＥの総数を表す、段階を有する、請求項１又は２に記載の方法。
【請求項４】
前記端末デバイスにより、制御チャネルエリアを前記決定する段階の前に、前記方法は、さらに、
前記端末デバイスにより、第２シグナリングを受信する段階であって、前記第２シグナリングは、前記制御チャネルエリアにより占有されるリソースを示し、前記第２シグナリングは、ＮＣＣＥＧ個の情報フィールドを有し、前記ＮＣＣＥＧ個の情報フィールドのｉ番目の情報フィールドは、制御チャネルエレメントグループＣＣＥＧｉ−１内のＨ個のＣＣＥが前記制御チャネルエリア用に構成されることを示し、ｉはＮＣＣＥＧより大きくない正の整数であり、前記ＣＣＥＧｉ−１はＧ個のＣＣＥからなり、Ｇは正の整数であり、ＨはＧより大きくない非負整数である、段階を備える、請求項２に記載の方法。
【請求項５】
Ｇは８に等しく、Ｈは０、２、４、又は８であり、前記ｉ番目の情報フィールドのビットの数は２である、請求項４に記載の方法。
【請求項６】
前記探索空間の前記構成情報は、前記探索空間がＣＣＥＧｊに位置することを示す、又は、前記探索空間の前記構成情報は、前記探索空間の開始ポイントがＣＣＥＧｊであることを示し、ｊはＮＣＣＥＧより小さい非負整数である、請求項４又は５に記載の方法。
【請求項７】
前記第１シグナリングは、さらに、前記制御チャネルエリアの構成情報を有し、前記探索空間の前記構成情報は、前記探索空間の開始ポイントがＣＣＥｉであることを示し、前記制御チャネルエリアの前記構成情報は、前記制御チャネルエリアがＸ個の連続するＣＣＥを占有することを示し、Ｘは正の整数であり、ｉはＸより小さい非負整数であり、
前記端末デバイスにより、制御チャネルエリアを前記決定する段階は、
前記端末デバイスにより、前記制御チャネルエリアの前記構成情報に基づいて、前記制御チャネルエリアを決定する段階を有する、請求項２に記載の方法。
【請求項８】
前記第１シグナリングは、さらに、前記制御チャネルエリアの構成情報を有し、前記制御チャネルエリアの前記構成情報は、前記制御チャネルエリアがＥ個の連続するＣＣＥＧを占有することを示し、前記探索空間の前記構成情報は、前記探索空間の開始ポイントがＣＣＥＧｉであることを示し、Ｅは正の整数であり、ｉはＥより小さい非負整数であり、
前記端末デバイスにより、制御チャネルエリアを前記決定する段階は、
前記端末デバイスにより、前記制御チャネルエリアの前記構成情報に基づいて、前記制御チャネルエリアを決定する段階を有する、請求項２に記載の方法。
【請求項９】
前記端末デバイスにより、制御チャネルエリアを前記決定する段階の前に、さらに、
前記端末デバイスにより、第３シグナリングを受信する段階であって、前記第３シグナリングは、前記制御チャネルエリアがＮ個のショートリソースブロックを占有することを示し、各ショートリソースブロックは、周波数ドメインにおいて１２個のサブキャリアを占有し、かつ、時間領域において１つ又は２つのシンボルを占有し、Ｎは、３又は４で割り切ることができる、段階を備え、
前記端末デバイスにより、制御チャネルエリアを前記決定する段階は、
前記端末デバイスにより、前記第３シグナリングに基づいて前記制御チャネルエリアを決定する段階を有する、請求項２に記載の方法。
【請求項１０】
前記端末デバイスにより、制御チャネルエリアを前記決定する段階の前に、前記方法は、さらに、
前記端末デバイスにより、第４シグナリングを受信する段階であって、前記第４シグナリングは、前記制御チャネルエリアがＭ個の連続する仮想ショートリソースブロックを占有することを示し、Ｍは、３又は４で割り切ることができる正の整数である、段階を備え、
前記端末デバイスにより、制御チャネルエリアを前記決定する段階は、
前記端末デバイスにより、前記第４シグナリング及び仮想ショートリソースブロックと物理ショートリソースブロックとの間のマッピング関係に基づいて、前記制御チャネルエリアにより占有されるＭ個の不連続な物理ショートリソースブロックを決定する段階であって、仮想ショートリソースブロックと物理ショートリソースブロックとの間の前記マッピング関係は、前記Ｍ個の連続する仮想ショートリソースブロックが前記Ｍ個の不連続な物理ショートリソースブロックに対応することを示す、段階を有する、請求項２に記載の方法。
【請求項１１】
前記端末デバイスにより、制御チャネルエリアを前記決定する段階の前に、前記方法は、さらに、
前記端末デバイスにより、第５シグナリングを受信する段階であって、前記第５シグナリングは、前記制御チャネルエリアがＺ個の連続するＣＣＥを占有することを示し、Ｚは正の整数である、段階を備え、
前記端末デバイスにより、制御チャネルエリアを前記決定する段階は、
前記端末デバイスにより、前記第５シグナリングに基づいて、前記制御チャネルエリアを決定する段階を有する、請求項２に記載の方法。
【請求項１２】
ダウンリンク制御情報の送信方法であって、
ネットワークデバイスにより、第１命令を送信する段階であって、前記第１シグナリングは、探索空間の構成情報を有し、前記構成情報は、周波数領域リソース又は制御チャネルエレメント、ＣＣＥ、リソースを示すべく用いられる、段階と、
前記ネットワークデバイスにより、前記探索空間においてダウンリンク制御情報を送信する段階と
を備える方法。
【請求項１３】
ネットワークデバイスにより、第１シグナリングを前記送信する段階の前に、さらに、
前記ネットワークデバイスにより、制御チャネルエリアを決定する段階であって、前記探索空間は、前記制御チャネルエリア内に位置する、段階を備える、請求項１２に記載の方法。
【請求項１４】
前記探索空間の前記構成情報は、アグリゲーションレベルＬ及び探索空間開始ポイント識別子Ｙを示し、ネットワークデバイスにより、第１シグナリングを前記送信する段階の前に、前記方法は、さらに、
前記ネットワークデバイスにより、番号が
【数５０】
2019517208.tif 000053
であるＣＣＥを前記探索空間が有することを決定する段階であって、ｉ＝０，...，Ｌ−１であり、ｍ＝０，...，Ｍ（Ｌ）−１であり、Ｍ（Ｌ）は、アグリゲーションレベルがＬである探索空間に含まれる候補ダウンリンク制御チャネルの数であり、ＮＣＣＥは、前記探索空間により占有される伝送時間間隔において利用可能なＣＣＥの総数を表す、段階を備える、請求項１２又は１３に記載の方法。
【請求項１５】
前記方法は、さらに、
前記ネットワークデバイスにより、第２シグナリングを送信する段階であって、前記第２シグナリングは、前記制御チャネルエリアにより占有されるリソースを示し、前記第２シグナリングは、ＮＣＣＥＧ個の情報フィールドを有し、前記ＮＣＣＥＧ個の情報フィールドのｉ番目の情報フィールドは、制御チャネルエレメントグループＣＣＥＧｉ−１内のＨ個のＣＣＥが前記制御チャネルエリア用に構成されることを示し、ｉはＮＣＣＥＧより大きくない正の整数であり、前記ＣＣＥＧｉ−１はＧ個のＣＣＥからなり、Ｇは正の整数であり、ＨはＧより大きくない非負整数である、段階を備える、請求項１３に記載の方法。
【請求項１６】
Ｇは８に等しく、Ｈは０、２、４、又は８であり、前記ｉ番目の情報フィールドのビットの数は２である、請求項１５に記載の方法。
【請求項１７】
前記探索空間の前記構成情報は、前記探索空間がＣＣＥＧｊに位置することを示す、又は、前記探索空間の前記構成情報は、前記探索空間の開始ポイントがＣＣＥＧｊであることを示し、ｊはＮＣＣＥＧより小さい非負整数である、請求項１５又は１６に記載の方法。
【請求項１８】
前記第１シグナリングは、さらに、前記制御チャネルエリアの構成情報を有し、前記制御チャネルエリアの前記構成情報は、前記制御チャネルエリアがＥ個の連続するＣＣＥＧを占有することを示し、前記探索空間の前記構成情報は、前記探索空間の開始ポイントがＣＣＥＧｉであることを示し、Ｅは正の整数であり、ｉはＥより小さい非負整数である、請求項１３に記載の方法。
【請求項１９】
前記ネットワークデバイスにより、前記探索空間においてダウンリンク制御情報を前記送信する段階の前に、前記方法は、さらに、
前記ネットワークデバイスにより、第３シグナリングを送信する段階であって、前記第３シグナリングは、前記制御チャネルエリアがＮ個のショートリソースブロックを占有することを示し、各ショートリソースブロックは、周波数ドメインにおいて１２個のサブキャリアを占有し、かつ、時間領域において１つ又は２つのシンボルを占有し、Ｎは、３又は４で割り切ることができる、段階を備える、請求項１３に記載の方法。
【請求項２０】
前記ネットワークデバイスにより、前記探索空間においてダウンリンク制御情報を前記送信する段階の前に、前記方法は、さらに、
前記ネットワークデバイスにより、第４シグナリングを送信する段階であって、前記第４シグナリングは、前記制御チャネルエリアがＭ個の連続する仮想ショートリソースブロックを占有することを示し、Ｍは、３又は４で割り切ることができる正の整数である、段階を備え、
前記Ｍ個の連続する仮想ショートリソースブロックは、Ｍ個の不連続な物理ショートリソースブロックに対応する、請求項１３に記載の方法。
【請求項２１】
前記ネットワークデバイスにより、前記探索空間においてダウンリンク制御情報を前記送信する段階の前に、前記方法は、さらに、
前記ネットワークデバイスにより、第５シグナリングを送信する段階であって、前記第５シグナリングは、前記制御チャネルエリアがＺ個の連続するＣＣＥを占有することを示し、Ｚは正の整数である、段階を備える、請求項１３に記載の方法。
【請求項２２】
第１シグナリングを受信するように構成される受信モジュールであって、前記第１シグナリングは、探索空間の構成情報を有する、受信モジュールと、
前記探索空間の前記構成情報に基づいて、前記探索空間により占有される周波数領域リソース又は制御チャネルエレメント、ＣＣＥ、リソースを決定するように構成される処理モジュールと
を備え、
前記処理モジュールは、さらに、前記探索空間においてダウンリンク制御情報を検出するように構成される、端末デバイス。
【請求項２３】
前記処理モジュールは、さらに、制御チャネルエリアを決定するように構成され、前記探索空間は前記制御チャネルエリア内に位置する、請求項２２に記載の端末デバイス。
【請求項２４】
前記探索空間の前記構成情報は、アグリゲーションレベルＬ及び探索空間開始ポイント識別子Ｙを示し、前記処理モジュールは、具体的には、
前記探索空間の前記構成情報に基づいて、番号が
【数５１】
2019517208.tif 000054
であるＣＣＥを前記探索空間が有することを決定するように構成され、ｉ＝０，...，Ｌ−１であり、ｍ＝０，...，Ｍ（Ｌ）−１であり、Ｍ（Ｌ）は、アグリゲーションレベルがＬである探索空間に含まれる候補ダウンリンク制御チャネルの数であり、ＮＣＣＥは、前記探索空間により占有される伝送時間間隔において利用可能なＣＣＥの総数を表す、請求項２２又は２３に記載の端末デバイス。
【請求項２５】
前記受信モジュールは、さらに、第２シグナリングを受信するように構成され、前記第２シグナリングは、前記制御チャネルエリアにより占有されるリソースを示し、前記第２シグナリングは、ＮＣＣＥＧ個の情報フィールドを有し、前記ＮＣＣＥＧ個の情報フィールドのｉ番目の情報フィールドは、制御チャネルエレメントグループＣＣＥＧｉ−１内のＨ個のＣＣＥが前記制御チャネルエリア用に構成されることを示し、ｉはＮＣＣＥＧより大きくない正の整数であり、前記ＣＣＥＧｉ−１はＧ個のＣＣＥからなり、Ｇは正の整数であり、ＨはＧより大きくない非負整数である、請求項２３に記載の端末デバイス。
【請求項２６】
前記受信モジュールにより受信される前記第２シグナリングにおいて示されるＧは、８に等しく、Ｈは０、２、４、又は８であり、前記ｉ番目の情報フィールドのビットの数は２である、請求項２５に記載の端末デバイス。
【請求項２７】
前記探索空間のものであり、かつ、前記受信モジュールにより受信される前記構成情報は、前記探索空間がＣＣＥＧｊに位置することを示し、又は、前記探索空間の前記構成情報は、前記探索空間の開始ポイントがＣＣＥＧｊであることを示し、ｊはＮＣＣＥＧより小さい非負整数である、請求項２５又は２６に記載の端末デバイス。
【請求項２８】
前記受信モジュールにより受信される前記第１シグナリングは、さらに、前記制御チャネルエリアの構成情報を有し、前記探索空間の前記構成情報は、前記探索空間の開始ポイントがＣＣＥｉであることを示し、前記制御チャネルエリアの前記構成情報は、前記制御チャネルエリアがＸ個の連続するＣＣＥを占有することを示し、Ｘは正の整数であり、ｉはＸより小さい非負整数であり、
前記処理モジュールは、具体的には、前記制御チャネルエリアの前記構成情報に基づいて、前記制御チャネルエリアを決定するように構成される、請求項２３に記載の端末デバイス。
【請求項２９】
前記受信モジュールにより受信される前記第１シグナリングは、さらに、前記制御チャネルエリアの構成情報を有し、前記制御チャネルエリアの前記構成情報は、前記制御チャネルエリアがＥ個の連続するＣＣＥＧを占有することを示し、前記探索空間の前記構成情報は、前記探索空間の開始ポイントがＣＣＥＧｉであることを示し、Ｅは正の整数であり、ｉはＥより小さい非負整数であり、
前記処理モジュールは、具体的には、前記制御チャネルエリアの前記構成情報に基づいて、前記制御チャネルエリアを決定するように構成される、請求項２３に記載の端末デバイス。
【請求項３０】
前記受信モジュールは、さらに、第３シグナリングを受信するように構成され、前記第３シグナリングは、前記制御チャネルエリアがＮ個のショートリソースブロックを占有することを示し、各ショートリソースブロックは、周波数ドメインにおいて１２個のサブキャリアを占有し、かつ、時間領域において１つ又は２つのシンボルを占有し、Ｎは、３又は４で割り切ることができ、
前記処理モジュールは、さらに具体的には、
前記第３シグナリングに基づいて、前記制御チャネルエリアを決定するように構成される、請求項２３に記載の端末デバイス。
【請求項３１】
前記受信モジュールは、さらに、第４シグナリングを受信するように構成され、前記第４シグナリングは、前記制御チャネルエリアがＭ個の連続する仮想ショートリソースブロックを占有することを示し、Ｍは、３又は４で割り切ることができる正の整数であり、
前記処理モジュールは、さらに具体的には、
前記第４シグナリング及び仮想ショートリソースブロックと物理ショートリソースブロックとの間のマッピング関係に基づいて、前記制御チャネルエリアにより占有されるＭ個の不連続な物理ショートリソースブロックを決定するように構成され、仮想ショートリソースブロックと物理ショートリソースブロックとの間の前記マッピング関係は、前記Ｍ個の連続する仮想ショートリソースブロックが前記Ｍ個の不連続な物理ショートリソースブロックに対応することを示す、請求項２３に記載の端末デバイス。
【請求項３２】
前記受信モジュールは、さらに、第５シグナリングを受信するように構成され、前記第５シグナリングは、前記制御チャネルエリアがＺ個の連続するＣＣＥを占有することを示し、Ｚは正の整数である、
前記処理モジュールは、さらに具体的には、前記第５シグナリングに基づいて、前記制御チャネルエリアを決定するように構成される、請求項２３に記載の端末デバイス。
【請求項３３】
探索空間を決定するように構成される処理モジュールと、
第１命令を送信するように構成される送信モジュールであって、前記第１シグナリングは、探索空間の構成情報を有し、前記構成情報は、周波数領域リソース又は制御チャネルエレメント、ＣＣＥ、リソースを示すべく用いられる、送信モジュールと
を備え、
前記送信モジュールは、さらに、前記探索空間においてダウンリンク制御情報を送信するように構成される、ネットワークデバイス。
【請求項３４】
前記処理モジュールは、さらに、制御チャネルエリアを決定するように構成され、前記探索空間は前記制御チャネルエリア内に位置する、請求項３３に記載のネットワークデバイス。
【請求項３５】
前記探索空間の前記構成情報は、アグリゲーションレベルＬ及び探索空間開始ポイント識別子Ｙを示し、前記処理モジュールは、具体的には、
番号が、
【数５２】
2019517208.tif 000055
であるＣＣＥを前記探索空間が有することを決定するように構成され、ｉ＝０，...，Ｌ−１であり、ｍ＝０，...，Ｍ（Ｌ）−１であり、Ｍ（Ｌ）は、アグリゲーションレベルがＬである探索空間に含まれる候補ダウンリンク制御チャネルの数であり、ＮＣＣＥは、前記探索空間により占有される伝送時間間隔において利用可能なＣＣＥの総数を表す、請求項３３又は３４に記載のネットワークデバイス。
【請求項３６】
前記送信モジュールは、さらに、第２シグナリングを送信するように構成され、前記第２シグナリングは、前記制御チャネルエリアにより占有されるリソースを示し、前記第２シグナリングは、ＮＣＣＥＧ個の情報フィールドを有し、前記ＮＣＣＥＧ個の情報フィールドのｉ番目の情報フィールドは、制御チャネルエレメントグループＣＣＥＧｉ−１内のＨ個のＣＣＥが前記制御チャネルエリア用に構成されることを示し、ｉはＮＣＣＥＧより大きくない正の整数であり、前記ＣＣＥＧｉ−１はＧ個のＣＣＥからなり、Ｇは正の整数であり、ＨはＧより大きくない非負整数である、請求項３４に記載のネットワークデバイス。
【請求項３７】
前記送信モジュールにより送信される前記第２シグナリングにおいて示されるＧは、８に等しく、Ｈは０、２、４、又は８であり、前記ｉ番目の情報フィールドのビットの数は２である、請求項３６に記載のネットワークデバイス。
【請求項３８】
前記探索空間のものであり、かつ、前記送信モジュールにより送信される前記構成情報は、前記探索空間がＣＣＥＧｊに位置することを示し、又は、前記探索空間の前記構成情報は、前記探索空間の開始ポイントがＣＣＥＧｊであることを示し、ｊはＮＣＣＥＧより小さい非負整数である、請求項３６又は３７に記載のネットワークデバイス。
【請求項３９】
前記送信モジュールにより受信される前記第１シグナリングは、さらに、前記制御チャネルエリアの構成情報を有し、前記制御チャネルエリアの前記構成情報は、前記制御チャネルエリアがＥ個の連続するＣＣＥＧを占有することを示し、前記探索空間の前記構成情報は、前記探索空間の開始ポイントがＣＣＥＧｉであることを示し、Ｅは正の整数であり、ｉはＥより小さい非負整数である、請求項３４に記載のネットワークデバイス。
【請求項４０】
前記送信モジュールは、さらに、第３シグナリングを送信するように構成され、前記第３シグナリングは、前記制御チャネルエリアがＮ個のショートリソースブロックを占有することを示し、各ショートリソースブロックは、周波数ドメインにおいて１２個のサブキャリアを占有し、かつ、時間領域において１つ又は２つのシンボルを占有し、Ｎは、３又は４で割り切ることができる、請求項３４に記載のネットワークデバイス。
【請求項４１】
前記送信モジュールは、さらに、第４シグナリングを送信するように構成され、前記第４シグナリングは、前記制御チャネルエリアがＭ個の連続する仮想ショートリソースブロックを占有することを示し、Ｍは、３又は４で割り切ることができる正の整数であり、前記Ｍ個の連続する仮想ショートリソースブロックは、Ｍ個の不連続な物理ショートリソースブロックに対応する、請求項３４に記載のネットワークデバイス。
【請求項４２】
前記送信モジュールは、さらに、第５シグナリングを送信するように構成され、前記第５シグナリングは、前記制御チャネルエリアがＺ個の連続するＣＣＥを占有することを示し、Ｚは正の整数である、請求項３４に記載のネットワークデバイス。
【発明の詳細な説明】
【技術分野】
【０００１】
本発明の実施形態は、通信技術、特に、ダウンリンク制御情報の送信方法、ダウンリンク制御情報の検出方法、及びデバイスに関する。
【背景技術】
【０００２】
ロングタームエボリューション（Ｌｏｎｇ  Ｔｅｒｍ  Ｅｖｏｌｕｔｉｏｎ、ＬＴＥ）システムでは、ダウンリンクデータを受信する前又はアップリンクデータを送信する前に、端末デバイスは、例えば、時間−周波数リソース割り当て、及び、変調及び符号化スキームといった、端末デバイスに対してネットワークデバイスにより構成されるスケジューリング情報を知る必要がある。加えて、ネットワークデバイスは、アップリンク伝送に関連する電力制御コマンド情報を端末デバイスに通知する必要がある。スケジューリング情報及び電力制御コマンド情報は、ダウンリンク制御情報（ｄｏｗｎｌｉｎｋ  ｃｏｎｔｒｏｌ  ｉｎｆｏｒｍａｔｉｏｎ、ＤＣＩ）とまとめて称され、ＤＣＩは、データ伝送をスケジューリングするために用いられる。
【０００３】
現在の具体的なＤＣＩ伝送の実装例は、ネットワークデバイスが、ＤＣＩを搬送すべく、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を主に用いて、ＤＣＩを端末デバイスに送信し、端末デバイスは、探索空間内の１又は複数のＰＤＣＣＨ上でＤＣＩを検出し、取得する必要がある。したがって、端末デバイスは探索空間を決定する必要がある。探索空間は、端末デバイスによる検出対象のＰＤＣＣＨのセットである。現在の探索空間は、１ｍｓのデータ伝送をスケジューリングするように構成されるＰＤＣＣＨをすべて含み、ダウンリンクサブフレームの最初の１つ、２つ、３つ又は４つのシンボルに位置し、又は、物理ダウンリンク共有チャネル（英語、Ｐｈｙｓｉｃａｌ  Ｄｏｗｎｌｉｎｋ  Ｓｈａｒｅｄ  Ｃｈａｎｎｅｌ、略して、ＰＤＳＣＨ）のシンボルエリアに位置し、占有されるチャネルリソースは比較的固定されている。したがって、現在の探索空間は、１ｍｓより短い時間長のデータ伝送において柔軟ではなく、比較的低い伝送効率の原因となる。
【発明の概要】
【０００４】
本発明の実施形態は、ダウンリンク制御情報の送信方法、ダウンリンク制御情報の検出方法、及びデバイスを提供することで、現在の探索空間が、１ｍｓより短い時間長のデータ伝送において柔軟ではなく、比較的低い伝送効率の原因となるという課題を解決する。
【０００５】
本発明の第１態様ダウンリンク制御情報の検出方法を提供し、解決手段は、ユーザ側の端末デバイスに適用される。方法は、
端末デバイスにより、第１シグナリングを受信する段階であって、第１シグナリングは、探索空間の構成情報を含む、段階と、
端末デバイスにより、探索空間の構成情報に基づいて、探索空間により占有される周波数領域リソース又は制御チャネルエレメント（英語、ｃｏｎｔｒｏｌ  ｃｈａｎｎｅｌ  ｅｌｅｍｅｎｔ、略して、ＣＣＥ）リソースを決定する段階と、
端末デバイスにより、探索空間においてダウンリンク制御情報を検出する段階と
を含む。
【０００６】
本解決手段では、実際に、第１シグナリングは、探索空間により占有される周波数領域リソース又はＣＣＥリソースを示してよい。ネットワークデバイスは、任意の周波数領域リソース又はＣＣＥリソースを占有すべく探索空間を構成してよい。端末デバイスは、第１シグナリングに基づいて、ネットワークデバイスにより構成された探索空間を決定し、タイムリーにダウンリンク制御情報を取得する。これは、データ伝送効率を効果的に向上させ、特に、１ｍｓより短い時間長のダウンリンク制御情報が、タイムリーに取得されることができないという課題を解決する。
【０００７】
具体的な実装において、端末デバイスにより、探索空間においてダウンリンク制御情報を検出する段階の前に、方法は、さらに、
端末デバイスにより、制御チャネルエリアを決定する段階であって、探索空間は制御チャネルエリア内に位置する、段階を含む。
【０００８】
具体的な実装上の解決手段において、第１シグナリングは、アグリゲーションレベルＬ及び探索空間開始ポイント識別子Ｙを示し、端末デバイスにより、構成情報に基づいて、探索空間により占有される周波数領域リソース又はＣＣＥリソースを決定する段階は、
端末デバイスにより、第１シグナリングに基づいて、番号が
【数１】
2019517208.tif 000003
であるＣＣＥを探索空間が含むと決定する段階であって、ｉ＝０，...，Ｌ−１であり、ｍ＝０，...，Ｍ（Ｌ）−１であり、Ｍ（Ｌ）は、アグリゲーションレベルがＬである探索空間に含まれる候補ダウンリンク制御チャネルの数であり、ＮＣＣＥは、探索空間により占有される伝送時間間隔において利用可能なＣＣＥの総数を表す、段階を含む。
【０００９】
別の具体的な実装上の解決手段において、端末デバイスにより、制御チャネルエリアを決定する段階の前に、方法は、さらに、
端末デバイスにより、第２シグナリングを受信する段階であって、第２シグナリングは、制御チャネルエリアにより占有されるリソースを示し、第２シグナリングは、ＮＣＣＥＧ個の情報フィールドを含み、ＮＣＣＥＧ個の情報フィールドのｉ番目の情報フィールドは、制御チャネルエレメントグループ（英語、ｃｏｎｔｒｏｌ  ｃｈａｎｎｅｌ  ｅｌｅｍｅｎｔ  ｇｒｏｕｐ、略して、ＣＣＥＧ）ｉ−１内のＨ個のＣＣＥが制御チャネルエリア用に構成されることを示し、ｉはＮＣＣＥＧより大きくない正の整数であり、ＣＣＥＧｉ−１はＧ個のＣＣＥを含み、Ｇは正の整数であり、ＨはＧより大きくない非負整数である、段階を含む。
【００１０】
本解決手段において、好ましくは、Ｇは８に等しく、Ｈは０、２、４、又は８であり、ｉ番目の情報フィールドのビットの数は２である。
【００１１】
さらに、探索空間の構成情報は、探索空間がＣＣＥＧｊに位置することを示し、又は、探索空間の構成情報は、探索空間の開始ポイントがＣＣＥＧｊであることを示し、ｊはＮＣＣＥＧより小さい非負整数である。
【００１２】
別の具体的な実装上の解決手段において、第１シグナリングは、さらに、制御チャネルエリアの構成情報を含み、探索空間の構成情報は、探索空間の開始ポイントがＣＣＥｉであることを示し、制御チャネルエリアの構成情報は、制御チャネルエリアがＸ個の連続するＣＣＥを占有することを示し、Ｘは正の整数であり、ｉはＸより小さい非負整数である。
【００１３】
端末デバイスにより、制御チャネルエリアを決定する段階は、
端末デバイスにより、制御チャネルエリアの構成情報に基づいて、制御チャネルエリアを決定する段階を含む。
【００１４】
別の具体的な実装上の解決手段において、第１シグナリングは、さらに、制御チャネルエリアの構成情報を含み、制御チャネルエリアの構成情報は、制御チャネルエリアがＥ個の連続するＣＣＥＧを占有することを示し、探索空間の構成情報は、探索空間の開始ポイントがＣＣＥＧｉであることを示し、Ｅは正の整数であり、ｉはＥより小さい非負整数である。
【００１５】
端末デバイスにより、制御チャネルエリアを決定する段階は、
端末デバイスにより、制御チャネルエリアの構成情報に基づいて、制御チャネルエリアを決定する段階を含む。
【００１６】
端末デバイスにより、制御チャネルエリアを決定する段階の前に、方法は、さらに、
端末デバイスにより、第３シグナリングを受信する段階であって、第３シグナリングは、制御チャネルエリアがＮ個のショートリソースブロックを占有することを示し、各ショートリソースブロックは、周波数ドメインにおいて１２個のサブキャリアを占有し、かつ、時間領域において１つ又は２つのシンボルを占有し、Ｎは、３又は４で割り切ることができる、段階を含む。
【００１７】
端末デバイスにより、制御チャネルエリアを決定する段階は、
端末デバイスにより、第３シグナリングに基づいて、制御チャネルエリアを決定する段階を含む。
【００１８】
別の具体的な実装上の解決手段において、端末デバイスにより、制御チャネルエリアを決定する段階の前に、方法は、さらに、
端末デバイスにより、第４シグナリングを受信する段階であって、第４シグナリングは、制御チャネルエリアがＭ個の連続する仮想ショートリソースブロックを占有することを示し、Ｍは、３又は４で割り切ることができる正の整数である、段階を含む。
【００１９】
端末デバイスにより、制御チャネルエリアを決定する段階は、
端末デバイスにより、第４シグナリング及び仮想ショートリソースブロックと物理ショートリソースブロックとの間のマッピング関係に基づいて、制御チャネルエリアにより占有されるＭ個の不連続な物理ショートリソースブロックを決定する段階であって、仮想ショートリソースブロックと物理ショートリソースブロックとの間のマッピング関係は、Ｍ個の連続する仮想ショートリソースブロックがＭ個の不連続な物理ショートリソースブロックに対応することを示す、段階を含む。
【００２０】
別の具体的な実装上の解決手段において、端末デバイスにより、制御チャネルエリアを決定する段階の前に、方法は、
端末デバイスにより、第５シグナリングを受信する段階であって、第５シグナリングは、制御チャネルエリアがＺ個の連続するＣＣＥを占有することを示し、Ｚは正の整数である、段階を含む。
【００２１】
端末デバイスにより、制御チャネルエリアを決定する段階は、端末デバイスにより、第５シグナリングに基づいて、制御チャネルエリアを決定する段階を含む。
【００２２】
本発明の第２態様は、
ネットワークデバイスにより、第１命令を送信する段階であって、第１シグナリングは、探索空間の構成情報を含み、構成情報は、周波数領域リソース又は制御チャネルエレメントＣＣＥリソースを示すべく用いられる、段階と、
ネットワークデバイスにより、探索空間においてダウンリンク制御情報を送信する段階と
を含むダウンリンク制御情報の送信方法を提供する。
【００２３】
具体的な実装上の解決手段において、ネットワークデバイスにより、第１シグナリングを送信する段階の前に、方法は、さらに、
ネットワークデバイスにより、制御チャネルエリアを決定する段階であって、探索空間は制御チャネルエリア内に位置する、段階を含む。
【００２４】
具体的な実装上の解決手段において、第１シグナリングは、具体的には、探索空間のアグリゲーションレベル及び端末デバイスの識別子を示す。
【００２５】
具体的な実装上の解決手段において、探索空間の構成情報は、アグリゲーションレベルＬ及び探索空間開始ポイント識別子Ｙを示し、ネットワークデバイスにより、第１シグナリングを送信する段階の前に、方法は、さらに、
ネットワークデバイスにより、番号が、
【数２】
2019517208.tif 000004
であるＣＣＥを探索空間が含むと決定する段階であって、ｉ＝０，...，Ｌ−１であり、ｍ＝０，...，Ｍ（Ｌ）−１であり、Ｍ（Ｌ）は、アグリゲーションレベルがＬである探索空間に含まれる候補ダウンリンク制御チャネルの数であり、ＮＣＣＥは、探索空間により占有される伝送時間間隔において利用可能なＣＣＥの総数を表す、段階を含む。
【００２６】
具体的な実装上の解決手段において、方法は、さらに、
ネットワークデバイスにより、第２シグナリングを送信する段階であって、第２シグナリングは、制御チャネルエリアにより占有されるリソースを示し、第２シグナリングは、ＮＣＣＥＧ個の情報フィールドを含み、ＮＣＣＥＧ個の情報フィールドのｉ番目の情報フィールドは、制御チャネルエレメントグループＣＣＥＧｉ−１内のＨ個のＣＣＥが制御チャネルエリア用に構成されることを示し、ｉはＮＣＣＥＧより大きくない正の整数であり、ＣＣＥＧｉ−１はＧ個のＣＣＥを含み、Ｇは正の整数であり、ＨはＧより大きくない非負整数である、段階を含む。
【００２７】
本解決手段において、好ましくは、Ｇは８に等しく、Ｈは０、２、４、又は８であり、ｉ番目の情報フィールドのビットの数は２である。
【００２８】
さらに、探索空間の構成情報は、探索空間がＣＣＥＧｊに位置することを示す、又は、探索空間の構成情報は、探索空間の開始ポイントがＣＣＥＧｊであることを示し、ｊはＮＣＣＥＧより小さい非負整数である。
【００２９】
具体的な実装上の解決手段において、第１シグナリングは、さらに、制御チャネルエリアの構成情報を含み、制御チャネルエリアの構成情報は、制御チャネルエリアがＥ個の連続するＣＣＥＧを占有することを示し、探索空間の構成情報は、探索空間の開始ポイントがＣＣＥＧｉであることを示し、Ｅは正の整数であり、ｉはＥより小さい非負整数である。
【００３０】
具体的な実装上の解決手段において、ネットワークデバイスにより、探索空間においてダウンリンク制御情報を送信する段階の前に、方法は、さらに、
ネットワークデバイスにより、第３シグナリングを送信する段階であって、第３シグナリングは、制御チャネルエリアがＮ個のショートリソースブロックを占有することを示し、各ショートリソースブロックは、周波数ドメインにおいて１２個のサブキャリアを占有し、かつ、時間領域において１つ又は２つのシンボルを占有し、Ｎは、３又は４で割り切ることができる、段階を含む。
【００３１】
具体的な実装上の解決手段において、ネットワークデバイスにより、探索空間においてダウンリンク制御情報を送信する段階の前に、方法は、さらに、
ネットワークデバイスにより、第４シグナリングを送信する段階であって、第４シグナリングは、制御チャネルエリアがＭ個の連続する仮想ショートリソースブロックを占有することを示し、Ｍは、３又は４で割り切ることができる正の整数である、段階を含み、
Ｍ個の連続する仮想ショートリソースブロックは、Ｍ個の不連続な物理ショートリソースブロックに対応する。
【００３２】
具体的な実装上の解決手段において、ネットワークデバイスにより、探索空間においてダウンリンク制御情報を送信する段階の前に、方法は、さらに、
ネットワークデバイスにより、第５シグナリングを送信する段階であって、第５シグナリングは、制御チャネルエリアがＺ個の連続するＣＣＥを占有することを示し、Ｚは正の整数である、段階を含む。
【００３３】
本発明の第３態様は、
第１シグナリングを受信するように構成される受信モジュールであって、第１シグナリングは、探索空間の構成情報を含む、受信モジュールと、
探索空間の構成情報に基づいて、探索空間により占有される周波数領域リソース又は制御チャネルエレメントＣＣＥリソースを決定するように構成される処理モジュールと
を含む、
処理モジュールは、さらに、探索空間においてダウンリンク制御情報を検出するように構成される、端末デバイスを提供する。
【００３４】
任意で、処理モジュールは、さらに、制御チャネルエリアを決定するように構成され、探索空間は制御チャネルエリア内に位置する。
【００３５】
端末デバイスは、ソフトウェアを用いることにより実装されてよい、又は、端末デバイスは、ハードウェアデバイスを用いることにより実装されてよい。これは限定されるものではない。装置は、具体的には、第１態様において提供される各ダウンリンク制御情報の検出方法について技術的解決手段を実装するように構成され、装置の実装原理は、ダウンリンク制御情報の検出方法についてのこれらと同様である。具体的な実装及び詳細については、第１態様を参照する。
【００３６】
本発明の第４態様は、メッセージを送信するように構成される送信モジュールと、命令実行を制御するように構成される処理モジュールとを含むネットワークデバイスを提供し、
処理モジュールは、探索空間を決定するように構成され、
送信モジュールは、
第１命令を送信し、第１シグナリングは、探索空間の構成情報を含み、構成情報は、周波数領域リソース又は制御チャネルエレメントＣＣＥリソースを示すべく用いられ、
探索空間においてダウンリンク制御情報を送信する
ように構成される。
【００３７】
任意で、処理モジュールは、制御チャネルエリアを決定するように構成され、探索空間は制御チャネルエリア内に位置する。
【００３８】
ダウンリンク制御情報送信装置は、ソフトウェアを用いることにより実装されてよい、又は、ネットワークデバイスは、ハードウェアデバイスを用いることにより実装されてよい、又は、別の制御デバイスとして実装されてよい。これは限定されるものではない。装置は、具体的には、第２態様において提供される各ダウンリンク制御情報の送信方法についての技術的解決手段を実装するように構成され、装置の実装原理は、ダウンリンク制御情報の送信方法についてのこれらと同様である。具体的な実装及び詳細については、第２態様を参照する。
【００３９】
本発明の第５態様は、プログラム命令を格納するメモリと、プログラム命令の実行を制御するように構成されるプロセッサと、メッセージを送信するように構成される送信器と、メッセージを受信するように構成される受信器とを含む端末デバイスを提供し、
受信器は、第１シグナリングを受信するように構成され、第１シグナリングは、探索空間の構成情報を含み、
プロセッサは、探索空間の構成情報に基づいて、探索空間により占有される周波数領域リソース又は制御チャネルエレメントＣＣＥリソースを決定するように構成され、
プロセッサは、さらに、探索空間においてダウンリンク制御情報を検出するように構成される。
【００４０】
任意で、プロセッサは、さらに、制御チャネルエリアを決定するように構成され、探索空間は制御チャネルエリア内に位置する。
【００４１】
本解決手段において提供される端末デバイスは、具体的には、第１態様において提供される各ダウンリンク制御情報の検出方法についての技術的解決手段を実装するように構成され、端末デバイスの実装原理及び技術的効果は、ダウンリンク制御情報の検出方法についてのこれらと同様である。具体的な実装及び詳細については、第１態様を参照する。
【００４２】
本発明の第６態様は、プログラム命令を格納するメモリと、プログラム命令の実行を制御するように構成されるプロセッサと、メッセージを送信するように構成される送信器とを含むネットワークデバイスを提供し、送信器は、
第１命令を送信し、第１シグナリングは、探索空間の構成情報を含み、構成情報は、周波数領域リソース又は制御チャネルエレメントＣＣＥリソースを示すべく用いれら、
探索空間においてダウンリンク制御情報を送信する
ように構成される。
【００４３】
任意で、プロセッサは、制御チャネルエリアを決定するように構成され、探索空間は制御チャネルエリア内に位置する。
【００４４】
本解決手段において提供されるネットワークデバイスは、具体的には、第２態様において提供される各ダウンリンク制御情報の送信方法についての技術的解決手段を実装するように構成され、ネットワークデバイスの実装原理及び技術的効果は、ダウンリンク制御情報の送信方法についてのこれらと同様である。具体的な実装及び詳細については、第２態様を参照する。
【００４５】
本発明において提供されるダウンリンク制御情報の送信方法、ダウンリンク制御情報の検出方法及びデバイスによれば、ネットワークデバイスは、任意の周波数領域リソース又はＣＣＥリソースを占有すべく探索空間を構成してよい。端末デバイスは、第１シグナリングに基づいて、ネットワークデバイスにより構成された探索空間を決定し、タイムリーにダウンリンク制御情報を取得する。これは、データ伝送効率を効果的に向上させ、特に、１ｍｓより短い時間長のダウンリンク制御情報が、タイムリーに取得されることができないという課題を解決する。
【図面の簡単な説明】
【００４６】
本発明の実施形態における、又は、従来技術における技術的解決手段をより明確に説明すべく、以下では、実施形態又は従来技術を説明するために必要な添付図面を簡潔に説明する。以下の説明における添付図面は、本発明の一部の実施形態を示し、当業者であれば、創造的な努力なく、これらの添付図面から、他の図面をさらに導き出し得ることが明らかである。
【００４７】
【図１】本発明に係るダウンリンク制御情報の検出方法の実施形態１のフローチャートである。
【００４８】
【図２】本発明に係るダウンリンク制御情報の送信方法の実施形態１のフローチャートである。
【００４９】
【図３】本発明に係る第２探索空間決定の解決手段における探索空間を示す概略図である。
【００５０】
【図４】本発明に係る第２探索空間決定の解決手段における探索空間を示す別の概略図である。
【００５１】
【図５】本発明に係る第３探索空間決定の解決手段における探索空間を示す概略図である。
【００５２】
【図６】本発明に係る第２制御チャネルエリア決定の解決手段における制御チャネルエリアを示す概略図である。
【００５３】
【図７】本発明に係る第２制御チャネルエリア決定の解決手段における制御チャネルエリアを示す別の概略図である。
【００５４】
【図８】本発明に係る第４制御チャネルエリア決定の解決手段における制御チャネルエリアを示す概略図である。
【００５５】
【図９】本発明に係る第４制御チャネルエリア決定の解決手段における制御チャネルエリアを示す別の概略図である。
【００５６】
【図１０】本発明に係る端末デバイスの実施形態１の概略構造図である。
【００５７】
【図１１】本発明に係るネットワークデバイスの実施形態２の概略構造図である。
【００５８】
【図１２】本発明に係る端末デバイスの実施形態２の概略構造図である。
【００５９】
【図１３】本発明に係るネットワークデバイスの実施形態２の概略構造図である。
【発明を実施するための形態】
【００６０】
現在の規定された探索空間は、１ｍｓのデータ伝送をスケジューリングするように構成されるＰＤＣＣＨをすべて含み、ダウンリンクサブフレームの最初の１つ、２つ、３つ又は４つのシンボルに位置し、又は、ＰＤＳＣＨのシンボルエリア（すなわち、ダウンリンクサブフレームの最後の１３、１２、１１又は１０シンボル）に位置し、占有されるチャネルリソースは比較的固定されている。したがって、探索空間構成は比較的固定されている。例えば、探索空間のサイズが固定されている。これは、１ｍｓより短い時間長のデータ伝送において柔軟ではなく、比較的低い伝送効率の原因となる。本願は、新たなダウンリンク制御情報伝送の解決手段を提供して、本課題を克服する。
【００６１】
本願において提供されるダウンリンク制御情報伝送の解決手段は、無線通信システム、例えば、第３世代移動通信技術（Ｔｈｉｒｄ  Ｇｅｎｅｒａｔｉｏｎ  ｍｏｂｉｌｅ  ｃｏｍｍｕｎｉｃａｔｉｏｎ  ｔｅｃｈｎｏｌｏｇｙ、３Ｇ）、４．５Ｇ、又は５Ｇ通信システムに適用される。具体的には、本発明の実施形態は、ネットワークデバイス及び端末デバイス（ｔｅｒｍｉｎａｌ  ｄｅｖｉｃｅ又はｔｅｒｍｉｎａｌ  ｅｑｕｉｐｍｅｎｔ）を含む無線通信システムに適用されてよい。例えば、端末デバイス及びネットワークデバイスが互いに通信し、端末デバイス及び端末デバイスが互いに通信し、又は、ネットワークデバイス及びネットワークデバイスが互いに通信する。端末デバイスは、ユーザに音声及び／又はデータ接続を提供するデバイス、無線接続機能を有するハンドヘルドデバイス、又は、無線モデムに接続される別の処理デバイスであってよい。無線端末は、無線アクセスネットワーク（Ｒａｄｉｏ  Ａｃｃｅｓｓ  Ｎｅｔｗｏｒｋ、ＲＡＮ等）を用いることにより、１又は複数のコアネットワークと通信してよい。無線端末は、携帯電話（「セルラ」フォンとも称される）等のモバイル端末及びモバイル端末を有するコンピュータであってよく、例えば、無線アクセスネットワークを用いて音声及び／又はデータを交換するポータブル、ポケットサイズ、ハンドヘルド、コンピュータ内蔵式又は車載式のモバイル装置であってよい。例えば、無線端末は、パーソナル通信サービス（ｐｅｒｓｏｎａｌ  ｃｏｍｍｕｎｉｃａｔｉｏｎｓ  ｓｅｒｖｉｃｅ、ＰＣＳ）電話、コードレス電話セット、セッションイニシエーションプロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（ｗｉｒｅｌｅｓｓ  ｌｏｃａｌ  ｌｏｏｐ、ＷＬＬ）局、又は、パーソナルデジタルアシスタント（ｐｅｒｓｏｎａｌ  ｄｉｇｉｔａｌ  ａｓｓｉｓｔａｎｔ、ＰＤＡ）等のデバイスであってよい。無線端末は、システム、加入者ユニット（ｓｕｂｓｃｒｉｂｅｒ  ｕｎｉｔ、ＳＵ）、加入者局（ｓｕｂｓｃｒｉｂｅｒ  ｓｔａｔｉｏｎ、ＳＳ）、移動局（ｍｏｂｉｌｅ  ｓｔａｔｉｏｎ、ミリ秒）、モバイルコンソール（ｍｏｂｉｌｅ  ｓｔａｔｉｏｎ、ミリ秒）、リモート局（ｒｅｍｏｔｅ  ｓｔａｔｉｏｎ、ＲＳ）、アクセスポイント（ａｃｃｅｓｓ  ｐｏｉｎｔ、ＡＰ）、リモート端末（ｒｅｍｏｔｅ  ｔｅｒｍｉｎａｌ、ＲＴ）、アクセス端末（ａｃｃｅｓｓ  ｔｅｒｍｉｎａｌ、ＡＴ）、ユーザ端末（ｕｓｅｒ  ｔｅｒｍｉｎａｌ、ＵＴ）、ユーザエージェント（ｕｓｅｒ  ａｇｅｎｔ、ＵＡ）、ユーザデバイス、又は、ユーザ機器（ｕｓｅｒ  ｅｑｕｉｐｍｅｎｔ、ＵＥ）とも称されてよい。ネットワークデバイスは、基地局、進化型基地局、スケジューリング機能を有するリレー、基地局機能を有するデバイス等であってよい。基地局は、ＬＴＥシステムにおける進化型ノードＢ（ｅｖｏｌｖｅｄ  ＮｏｄｅＢ、ｅＮＢ、又はｅＮｏｄｅ）、又は、別のシステムにおける基地局であってよい。これは、本発明の実施形態において限定されるものではない。
【００６２】
図１は、本発明に係るダウンリンク制御情報の検出方法の実施形態１のフローチャートである。図１に示されるように、ダウンリンク制御情報の検出方法は、端末デバイス側に適用される。方法の具体的な実装段階は、以下のとおりである。
【００６３】
Ｓ１０１、端末デバイスは、第１シグナリングを受信し、第１シグナリングは、探索空間の構成情報を含む。
【００６４】
この段階では、ネットワークデバイス又は別の制御デバイスは、必要に応じて、探索空間により占有されるリソースを柔軟に構成し、第１シグナリングを用いることにより、探索空間の構成情報を端末デバイスに送信してよい。
【００６５】
任意で、探索空間の構成情報は、探索空間のＣＣＥリソース構成情報である。
【００６６】
任意で、探索空間の構成情報は、探索空間の周波数領域リソース構成情報である。
【００６７】
任意で、探索空間の構成情報は、探索空間の周波数領域リソース構成情報及び時間領域リソース構成情報である。例えば、探索空間の構成情報は、さらに、探索空間がＳ個のシンボルを占有することを示し、Ｓは正の整数である。例えば、Ｓは、１、２、３、４、６又は７である。
【００６８】
探索空間は、１又は複数の候補ダウンリンク制御チャネルを含み、各候補ダウンリンク制御チャネルは、ＤＣＩを搬送すべく用いられ得る。要するに、探索空間は、候補ダウンリンク制御チャネルのセットである。端末デバイスは、候補ダウンリンク制御チャネルをモニタリングする必要があり、したがって、探索空間は、端末デバイスによりモニタリングされる候補ダウンリンク制御チャネルのセットである。
【００６９】
Ｓ１０２、端末デバイスは、探索空間の構成情報に基づいて、探索空間により占有される周波数領域リソース又はＣＣＥリソースを決定する。
【００７０】
任意で、端末デバイスは、構成情報に基づいて、探索空間により占有されるＣＣＥリソースを決定する。任意で、端末デバイスは、構成情報に基づいて、探索空間により占有される周波数領域リソースを決定する。任意で、端末デバイスは、構成情報に基づいて、探索空間により占有される周波数領域リソース及び時間領域リソースを決定する。
【００７１】
この段階では、端末デバイスは、受信した第１シグナリングに示されるリソースに基づいて、探索空間を決定する。探索空間における候補ダウンリンク制御チャネルは、ダウンリンク制御情報を伝送するように構成される。
【００７２】
Ｓ１０３、端末デバイスは、探索空間においてダウンリンク制御情報を検出する。
【００７３】
端末デバイスは、探索空間においてダウンリンク制御情報を検出する。端末デバイスがダウンリンク制御情報を検出した場合、端末デバイスは、ダウンリンク制御情報に基づいて、データ伝送を実行する。
【００７４】
ネットワークデバイス又は別の制御デバイスは、必要に応じて、探索空間を柔軟に構成する。端末デバイスは、ネットワークデバイス又は別の制御デバイスにより送信された第１シグナリングを用いることにより、探索空間を決定し、ダウンリンク制御情報を検出する。このやり方では、ネットワークデバイスは、任意の周波数領域リソース又はＣＣＥリソースを占有すべく、探索空間を構成してよく、これにより、端末デバイスは、タイムリーに構成された探索空間においてダウンリンク制御情報を取得することで、データ伝送効率を効果的に向上させる。例えば、１ｍｓより短い時間長のデータ伝送について、ネットワークデバイスは、端末デバイスに対するＰＤＣＣＨブラインド検出回数の数を減らすべく、比較的少ない数の周波数領域リソース又はＣＣＥリソースを占有するように探索空間を構成してよく、それによって、迅速にダウンリンク制御情報を取得し、データ伝送効率を向上させる。
【００７５】
前述の解決手段において、任意で、端末デバイスは、探索空間においてダウンリンク制御情報を検出する。巡回冗長検査（ｃｙｃｌｉｃ  ｒｅｄｕｎｄａｎｃｙ  ｃｈｅｃｋ、ＣＲＣ）が正しい候補制御チャネルを、端末デバイスが検出した場合、候補制御チャネル上で搬送されるＤＣＩは、ネットワークデバイスにより、データ伝送をスケジューリングするために端末デバイスに送信されたＤＣＩである。ＣＲＣが正しい候補制御チャネルを、端末デバイスが検出しない場合、それは、ネットワークデバイスが、端末デバイスにＤＣＩを送信していないことを示す。本発明は、どのように端末デバイスがＤＣＩを検出するかについて限定を与えるものでないことに留意されたい。例えば、端末デバイスにより、探索空間においてＤＣＩを検出することは、端末デバイスにより、ＤＣＩの情報ビットの数に基づいて、探索空間内のすべて又は一部の候補ダウンリンク制御チャネルをデコードすることであってよい。
【００７６】
任意で、データ伝送をスケジューリングするために用いられるＤＣＩを、端末デバイスが検出した場合、端末デバイスは、ＤＣＩに基づいて、ネットワークデバイスとのデータ伝送を実行してよい。ダウンリンクデータ伝送について、端末デバイスは、ネットワークデバイスにより送信されたダウンリンクデータパケットを、ＤＣＩに示されるデータ伝送リソース上で受信してよい。アップリンクデータ伝送について、端末デバイスは、ＤＣＩに示されるデータ伝送リソース上で、アップリンクデータパケットをネットワークデバイスに送信してよい。
【００７７】
図２は、本発明に係るダウンリンク制御情報の送信方法の実施形態１のフローチャートである。図２に示されるように、ダウンリンク制御情報の伝送方法は、ネットワークデバイス側に適用される。方法の具体的な実装段階は、以下のとおりである。
【００７８】
Ｓ２０１、ネットワークデバイスは、第１命令を送信し、第１シグナリングは、探索空間の構成情報を含み、構成情報は、周波数領域リソース又はＣＣＥリソースを示すべく用いられる。
【００７９】
任意で、探索空間の構成情報は、探索空間のＣＣＥリソース構成情報である。
【００８０】
任意で、探索空間の構成情報は、探索空間の周波数領域リソース構成情報である。
【００８１】
任意で、探索空間の構成情報は、探索空間の周波数領域リソース構成情報及び時間領域リソース構成情報である。
【００８２】
ネットワークデバイスが第１シグナリングを送信する前に、方法は、さらに、ネットワークデバイスにより、探索空間により占有される周波数領域リソース、ＣＣＥリソース又は時間−周波数リソースを決定する段階を含む。本解決手段では、ネットワークデバイスは、必要に応じて、探索空間のリソースを決定（又は構成）し、第１命令を用いることにより、端末デバイスにリソースを送信することで、端末デバイスは、第１命令に示されるリソースに基づいて、探索空間を決定することができる。
【００８３】
Ｓ２０２、ネットワークデバイスは、探索空間においてダウンリンク制御情報を送信する。
【００８４】
ネットワークデバイスは、決定された探索空間においてダウンリンク制御情報を送信することで、端末デバイスは、決定された探索空間においてダウンリンク制御情報を検出して取得し、その結果、ダウンリンク制御情報に基づいて、データスケジューリングを実行することができる。
【００８５】
任意で、ネットワークデバイスが第１シグナリングを送信する前に、方法は、さらに、
ネットワークデバイスにより、制御チャネルエリアを決定する段階であって、探索空間は、制御チャネルエリア内に位置する、段階を含む。
【００８６】
ネットワークデバイス又は別の制御デバイスは、必要に応じて、探索空間を柔軟に構成する。端末デバイスは、ネットワークデバイス又は別の制御デバイスにより送信された第１命令を用いることにより、探索空間を決定し、ダウンリンク制御情報を検出する。このやり方では、ネットワークデバイスは、任意の周波数領域リソース又はＣＣＥリソースを占有すべく、探索空間を構成してよく、これにより、端末デバイスは、タイムリーに構成された探索空間においてダウンリンク制御情報を取得することで、データ伝送効率を効率的に向上させる。
【００８７】
本願において提供されるダウンリンク制御情報伝送の解決手段は、具体的な例を用いることにより、以下に説明される。最初に、本願の実施形態の説明を容易にするために、一部の概念がまず規定される。ＬＴＥシステムが説明のために一例として用いられるが、本発明の実施形態がＬＴＥシステムのみに適用可能であることを意味するものではない。実際に、本発明の実施形態において提供される解決手段は、データ伝送がスケジューリングを使って行われる任意の無線通信システムにおいて用いられ得る。
【００８８】
１．フレーム構造
【００８９】
既存のＬＴＥシステムにおいて、各無線フレームは、１ｍｓの長さを有する１０個のサブフレーム（ｓｕｂｆｒａｍｅ）を含み、各サブフレームは２つのタイムスロット（ｓｌｏｔ）を含む。標準サイクリックプレフィックス（Ｎｏｒｍａｌ  Ｃｙｃｌｉｃ  Ｐｒｅｆｉｘ、ｎｏｒｍａｌ  ＣＰ）用に、各スロットは、７個のシンボル（ｓｙｍｂｏｌ）を含む、すなわち、各スロットは、｛＃０、＃１、＃２、＃３、＃４、＃５、＃６｝の番号が付けられたシンボルを含む。拡張ＣＰ（Ｅｘｔｅｎｄｅｄ  Ｃｙｃｌｉｃ  Ｐｒｅｆｉｘ、ｅｘｔｅｎｄｅｄ  ＣＰ）用に、各スロットは、６個のシンボル（ｓｙｍｂｏｌ）を含む、すなわち、各スロットは、｛＃０、＃１、＃２、＃３、＃４、＃５｝の番号が付けられたシンボルを含む。将来の進化型ＬＴＥシステムでは、レイテンシ（ｌａｔｅｎｃｙ）を減らすべく、サブフレームの長さが短縮される可能性がある。例えば、各サブフレームの長さは、０．２ｍｓ、０．２５ｍｓ、又はより短いミリ秒に短縮される。
【００９０】
本願において、サブフレームの時間長及びシンボルの時間長が限定されることはない。一般性を失うことなく、１つのサブフレームは、Ｎ個のシンボル（Ｎは正の整数である）を含む、すなわち、１つのアップリンクサブフレームは、Ｎ個のアップリンクシンボルを含み、又は、１つのダウンリンクサブフレームは、Ｎ個のダウンリンクシンボルを含む。アップリンクシンボル及びダウンリンクシンボルはシンボルと称される。アップリンクシンボルは、シングルキャリア周波数分割多元接続（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ、ＳＣ−ＦＤＭＡ）シンボルと称され、ダウンリンクシンボルは、直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボルと称される。新たなアップリンクマルチアクセスモード又はダウンリンクマルチアクセスモードが以降の技術に導入された場合、アップリンクシンボル及びダウンリンクシンボルはさらにシンボルと称され得ることに留意されたい。アップリンクマルチアクセスモード及びダウンリンクマルチアクセスモードは、本発明において限定されるものではない。
【００９１】
２．ＴＴＩ
【００９２】
現在の解決手段では、ＴＴＩの長さは１ｍｓであるが、データ伝送用に実際に占有される時間領域リソースは、１ｍｓに等しい又はそれよりも短い。例えば、ダウンリンクサブフレームの最初の１つ、２つ、３つ又は４つのシンボルは、ＰＤＣＣＨを伝送するために用いられ得る。したがって、ＴＴＩの長さが１ｍｓであるダウンリンクデータ伝送用に占有される時間領域リソースは、１ｍｓよりも短い可能性がある。最後に、アップリンクサブフレーム内のシンボルは、サウンディング基準信号（Ｓｏｕｎｄｉｎｇ  Ｒｅｆｅｒｅｎｃｅ  Ｓｉｇｎａｌ、ＳＲＳ）を伝送するために用いられ得る。したがって、ＴＴＩの長さが１ｍｓであるアップリンクデータ伝送用に占有される時間領域リソースは、１ｍｓよりも短い可能性がある。
【００９３】
ショートＴＴＩは、ＴＴＩの長さが１ｍｓよりも短い、例えば、０．５ｍｓ、又は、１つ、２つ、３つ又は４つのシンボルの長さのＴＴＩである。同様に、ＴＴＩの長さがショートＴＴＩの長さに等しいデータ伝送用に占有される時間領域リソースは、ショートＴＴＩの長さに等しい又はそれよりも短い。例えば、ＴＴＩの長さが４つのシンボルであるダウンリンクデータ伝送について、４つのシンボルが１つ、２つ又は３つのＰＤＣＣＨシンボルを含む場合、データ伝送は、３つ、２つ又は１つのシンボルのみを占有する。
【００９４】
３．ＲＥ、ショートリソースブロック、ショートリソースエレメントグループ、及び利用可能な帯域幅
【００９５】
リソースエレメント（ｒｅｓｏｕｒｃｅ  ｅｌｅｍｅｎｔ、ＲＥ）は、時間−周波数領域における最小エレメントであり、インデックスペア（ｋ、ｌ）により一意に識別され、ここで、ｋはサブキャリアインデックスであり、ｌはシンボルインデックスである。もちろん、リソースエレメントは、別の形式の識別子を用いることにより識別されてもよい。
【００９６】
本願において、ショートリソースブロック（Ｓｈｏｒｔ  Ｒｅｓｏｕｒｃｅ  Ｂｌｏｃｋ、ＳＲＢ）の概念が説明される。１つのＳＲＢは、周波数ドメインにおいて、
【数３】
2019517208.tif 000005
個の連続するサブキャリアを占有し、時間領域において、
【数４】
2019517208.tif 000006
個のシンボルを占有する。
【数５】
2019517208.tif 000007
は、正の整数であり、
【数６】
2019517208.tif 000008
は、７より大きくない正の整数である。例えば、
【数７】
2019517208.tif 000009
であり、
【数８】
2019517208.tif 000010
である。すなわち、従来技術におけるＳＲＢ及びＲＢ（リソースブロック、ｒｅｓｏｕｒｃｅ  ｂｌｏｃｋ）は、周波数ドメインにおいて同一のリソースを占有し、同一の番号を用いる。
【００９７】
本願において、ショートリソースエレメントグループ（ＳＲＥＧ、Ｓｈｏｒｔ  Ｒｅｓｏｕｒｃｅ  Ｅｌｅｍｅｎｔ  Ｇｒｏｕｐ）の概念が説明される。１つのＳＲＢＧは、周波数ドメインにおいて、
【数９】
2019517208.tif 000011
個の連続するサブキャリアを占有し、時間領域において、
【数１０】
2019517208.tif 000012
個のシンボルを占有する。
【数１１】
2019517208.tif 000013
は、正の整数であり、
【数１２】
2019517208.tif 000014
は、７より大きくない正の整数である。例えば、
【数１３】
2019517208.tif 000015
であり、
【数１４】
2019517208.tif 000016
である。すなわち、１つのＳＲＢＧは、周波数ドメインにおいて１つのＲＢを占有し、時間領域において１つ又は２つのシンボルを占有する。
【００９８】
本願において、利用可能な帯域幅は、ダウンリンクシステム帯域幅、ショートＴＴＩダウンリンクデータ伝送用のに用いられる帯域幅、又は、制御チャネル伝送用に用いられる帯域幅であってよい。ショートＴＴＩダウンリンクデータ伝送は、１ｍｓより短い時間領域リソースを占有するダウンリンクデータ伝送であり、ショートＴＴＩダウンリンクデータ伝送用に用いられる帯域幅は、１つの端末デバイス又は端末デバイスの１つのグループを構成してよい。利用可能な帯域幅は、予め定められてよい、又は、より高いレイヤシグナリングを用いることにより通知されてよい。利用可能な帯域幅は、ＮＳＲＢ個のＳＲＢを含む、すなわち、ＮＳＲＢは、利用可能な帯域幅に含まれるＳＲＢの数である。任意で、ＮＳＲＢ個のＳＲＢは、連続的に割り当てられてよい、又は、不連続に割り当てられてよい。
【００９９】
４．ダウンリンク制御チャネル及び探索空間
【０１００】
ダウンリンク制御チャネルは、ＤＣＩを搬送するために用いられるチャネルである、すなわち、ＤＣＩは、ダウンリンク制御チャネル上で搬送される。任意で、ダウンリンク制御チャネルは、Ｌ個の制御チャネルエレメント（Ｃｏｎｔｒｏｌ  Ｃｈａｎｎｅｌ  Ｅｌｅｍｅｎｔ、ＣＣＥ）のアグリゲーションにより形成され、Ｌは正の整数であり、アグリゲーションレベル（ａｇｇｒｅｇａｔｉｏｎ  ｌｅｖｅｌ、ＡＬ）と称される。例えば、Ｌは、１、２、４又は８であってよい。任意で、１つのＣＣＥはＣ個のＳＲＢを含み、Ｃは正の整数である。例えば、Ｃ＝３、４又は５である。任意で、１つのＣＣＥは、ＮＣＣＥ個のＲＥを含み、ＮＣＣＥは正の整数である。例えば、ＮＣＣＥ＝３６又はＮＣＣＥ＜３６である。任意で、１つのＣＣＥはＣ個のＳＲＥＧを含み、Ｃは正の整数である。例えば、Ｃ＝３、４又は５である。異なるシンボル上のセル固有基準信号（ＣＲＳ、ｃｅｌｌ−ｓｐｅｃｉｆｉｃ  ｒｅｆｅｒｅｎｃｅ  ｓｉｇｎａｌ）により占有されるＲＥの数は異なり、ＣＲＳは、ダウンリンク制御情報を搬送できない。したがって、異なるシンボル上のアップリンク／ダウンリンク制御情報により占有される同様の数のＲＥを取得するためには、異なるシンボル上のＣＣＥに含まれるＳＲＢ又はＳＲＥＧは異なる可能性がある。任意で、異なるシンボルに位置するＣＣＥは、異なる数のＳＲＢ又はＳＲＥＧを含んでよい。例えば、標準ＣＰについて、１つ又は２つのＣＲＳアンテナポート（ａｎｔｅｎｎａ  ｐｏｒｔ）が構成され、１つのタイムスロット内のシンボル♯０又はシンボル♯４に位置するＣＣＥは、４つのＳＲＢ又は４つのＳＲＥＧを含み、１つのタイムスロット内のシンボル♯１、＃２、＃３、＃５又は＃６に位置するＣＣＥは、３つのＳＲＢ又は３つのＳＲＥＧを含む。例えば、標準ＣＰについて、４つのＣＲＳアンテナポートが構成され、１つのタイムスロット内のシンボル♯０、シンボル♯１又はシンボル♯４に位置するＣＣＥは、４つのＳＲＢ又は４つのＳＲＥＧを含み、１つのタイムスロット内のシンボル＃２、＃３、＃５又は＃６に位置するＣＣＥは、３つのＳＲＢ又は３つのＳＲＥＧを含む。
【０１０１】
探索空間は、１又は複数の候補ダウンリンク制御チャネルを含み、候補ダウンリンク制御チャネルは、ＤＣＩを搬送すべく用いられ得る。要するに、探索空間は、候補ダウンリンク制御チャネルのセットである。端末デバイスは、候補ダウンリンク制御チャネルをモニタリングする必要があり、したがって、探索空間は、端末デバイスによりモニタリングされる候補ダウンリンク制御チャネルのセットである。
【０１０２】
任意で、探索空間は、端末デバイスに固有の探索空間である、すなわち、探索空間は、１つの端末デバイスに対して構成される。
【０１０３】
任意で、探索空間は、グループ固有の探索空間である、すなわち、探索空間は、端末デバイスの１つのグループに対して構成される。具体的な実装において、グループ識別子がインジケーションのために用いられてよい。
【０１０４】
任意で、探索空間のサイズは、表１に基づいて決定されてよい。アグリゲーションレベル１の探索空間は、アグリゲーションレベル１の３つ、２つ又は１つの候補ダウンリンク制御チャネルを含む。アグリゲーションレベル２の探索空間は、アグリゲーションレベル２の３つ、２つ又は１つの候補ダウンリンク制御チャネルを含む。アグリゲーションレベル４の探索空間は、アグリゲーションレベル４の２つ又は１つの候補ダウンリンク制御チャネルを含む。アグリゲーションレベル８の探索空間は、アグリゲーションレベル８の２つ又は１つの候補ダウンリンク制御チャネルを含む。例えば、１つのＳＲＢは、周波数ドメインにおいて１２個の連続するサブキャリアを占有し、時間領域において１つのシンボルを占有し、１つのＣＣＥは３つのＳＲＢを含み、アグリゲーションレベル１、２、４又は８の探索空間は、それぞれ６、１２、２４又は４８個のＳＲＢを含む。例えば、１つのＣＣＥは、３６個のＲＥを含み、アグリゲーションレベル１、２、４又は８の探索空間は、それぞれ７２、１４４、２８８又は５７６個のＲＥを含む。探索空間は、端末デバイスに固有の探索空間又はグループ固有の探索空間である。
【表１】
2019517208.tif 000017
【０１０５】
前述の解決手段に基づいて、任意で、探索空間は、ショート伝送時間間隔（ショートＴＴＩ、ｓＴＴＩ）に位置する。ｓＴＴＩは、１つのシンボル、２つのシンボル、３つのシンボル、４つのシンボル又は０．５ｍｓを占有する。
【０１０６】
任意で、第１シグナリングは、探索空間のＣＣＥ構成情報を含む、すなわち、第１シグナリングは、探索空間により占有されるＣＣＥリソースを示す。ｓＴＴＩは、ＮＣＣＥ個の利用可能なＣＣＥを有し、利用可能なＣＣＥは、０からＮＣＣＥ−１の番号が付けられる。具体的には、ＮＣＣＥは、伝送時間間隔ｍにおいて利用可能なＣＣＥの総数を表し、伝送時間間隔ｍは、探索空間が位置するサブフレームに含まれる複数の伝送時間間隔のうちの１つである。ｓＴＴＩは、ＮＣＣＥＧ個の利用可能なＣＣＥＧを有し、利用可能なＣＣＥＧは、０からＮＣＣＥＧ−１の番号が付けられる。１つのＣＣＥＧはＧ個のＣＣＥを含み、Ｇは正の整数、例えば、１、２、３、４、８又は１６である。
【０１０７】
任意で、探索空間は、ＰＤＳＣＨ伝送用に用いられることができない。すなわち、ＰＤＳＣＨは、探索空間により占有されるリソースにマッピングされない。探索空間は、ＰＤＳＣＨ伝送用に用いられることができないが、探索空間及びＰＤＳＣＨは、時間領域において重なり合ってよい。リソースの無駄を回避すべく、ネットワークデバイスは、探索空間により占有される現在のダウンリンク制御チャネルの負荷、周波数領域リソース又はＣＣＥリソースに基づいて正当に決定し、第１シグナリングを用いることにより、現在使用されている探索空間を端末デバイスに通知してよい。このやり方では、端末デバイスは、第１シグナリングに基づいて、探索空間により占有される周波数領域リソース又はＣＣＥリソースを知り、次に、占有されていない周波数領域リソース又はＣＣＥリソース上でダウンリンクデータを受信することができ、それによって、リソースの無駄を減らす。リソースの無駄を回避すべく、本発明では、第１シグナリングにおいて示される周波数領域リソース又はＣＣＥリソースは、できる限り実際に使用される周波数領域リソース又はＣＣＥリソースに等しい。加えて、本発明において設計される第１シグナリングは、少ない数のオーバヘッドを特徴付ける。
【０１０８】
端末デバイスが、構成情報に基づいて、実施形態１の段階１０１において探索空間により占有される周波数領域リソース又はＣＣＥリソースを決定する前、いずれかを決定するとき、又は、いずれかを決定した後に、方法は、さらに、
端末デバイスにより制御チャネルエリアを決定する段階を含む。
【０１０９】
これに対応して、実施形態２の段階２０１において、ネットワークデバイスが第１シグナリングを送信する前、これを送信するとき、又は、これを送信した後に、方法は、さらに、
ネットワークデバイスにより、制御チャネルエリアを決定する段階を含む。
【０１１０】
任意で、探索空間は、制御チャネルエリア内に位置する、すなわち、制御チャネルエリアは探索空間を含む。この場合、端末デバイスは、探索空間においてダウンリンク制御情報を検出する。
【０１１１】
任意で、探索空間により占有される一部のリソースは制御チャネルエリアに位置する。この場合、ダウンリンク制御チャネルのブラインド検出回数の数を減らすべく、端末デバイスは、探索空間により占有される一部のリソース上のダウンリンク制御情報のみを検出してよい。
【０１１２】
任意で、探索空間は、制御チャネルエリアに位置しておらず、すなわち、制御チャネルエリアにより占有されるリソースは、探索空間により占有されるリソースを含んでおらず、それは、端末デバイスに送信されるダウンリンク制御情報がないことを示しており、したがって、端末デバイスは、探索空間を検出することをスキップしてよい。
【０１１３】
任意で、制御チャネルエリアは、時間領域においてＳ個のシンボルを占有し、Ｓは正の整数である。例えば、Ｓは、１、２、３、４、６又は７である。
【０１１４】
任意で、制御チャネルエリアは、周波数ドメインにおける利用可能な帯域幅に位置する。「制御チャネルエリアが、周波数ドメインにおいて利用可能な帯域幅に位置する」ことは、「制御チャネルエリアにより占有される周波数領域リソースが、利用可能な帯域幅の全体である」こと、及び、「制御チャネルエリアにより占有される周波数領域リソースが、利用可能な帯域幅より小さい」こと、という２つの場合を含むことに留意されたい。
【０１１５】
任意で、制御チャネルエリアは、ＰＤＳＣＨ伝送用に用いられることができない。すなわち、ＰＤＳＣＨは、制御チャネルエリアにマッピングされない。この場合、制御チャネルエリア内のすべて又はほとんどのダウンリンク制御チャネルは、１又は複数の端末デバイスのダウンリンク制御情報を搬送し、したがって、ＰＤＳＣＨ伝送用に用いられることができないとみなされてよい。ＰＤＳＣＨは、ダウンリンク共有チャネル（ｄｏｗｎｌｉｎｋ  ｓｈａｒｅｄ  ｃｈａｎｎｅｌ，ＤＬ−ＳＣＨ）データ及び／又はページングチャネル（ｐａｇｉｎｇ  ｃｈａｎｎｅｌ、ＰＣＨ）データを搬送するために用いられる。つまり、ＰＤＳＣＨは、ダウンリンクサービスデータ又はより高いレイヤシグナリングを搬送するために用いられる。制御チャネルエリアは、リソースの無駄を回避するために、ＰＤＳＣＨ伝送用に用いられることができないので、ネットワークデバイスは、現在のダウンリンク制御チャネルの負荷に基づいて、制御チャネルエリアを正当に決定し、シグナリングを用いることにより、現在使用されている制御チャネルエリアを端末デバイスに通知してよい。このやり方では、端末デバイスは、シグナリングに基づいて、制御チャネルエリアにより占有されるリソースを知り、次に、占有されていないリソース上でダウンリンクデータを受信することができ、それによって、リソースの無駄を減らす。リソースの無駄を回避すべく、本発明では、シグナリングにおいて示される制御チャネルエリアにより占有されるリソースは、できる限り実際に使用されるリソースに等しい。例えば、ネットワークデバイスは、現在、４つのダウンリンク制御チャネルを送信する必要があり、各ダウンリンク制御チャネルは、３つのＳＲＢを占有する必要がある。この場合、ネットワークデバイスは、シグナリングを送信して、制御チャネルエリアが１２個のＳＲＢを占有することを端末デバイスに通知する。
【０１１６】
任意で、端末デバイスは、受信した制御チャネルエリア構成シグナリングに基づいて、制御チャネルエリアを決定し、制御チャネルエリア構成シグナリングは、制御チャネルエリアにより占有されるリソースを示す。具体的には、制御チャネルエリア構成シグナリングが、制御チャネルエリアにより占有される時間領域リソース及び／又は周波数領域リソースを示す、又は、第２シグナリングが、制御チャネルエリアにより占有されるＣＣＥリソースを示す。これに対応して、ネットワークデバイスが制御チャネルエリアを決定した後に、方法は、さらに、ネットワークデバイスにより、制御チャネルエリア構成シグナリングを送信する段階を含む。
【０１１７】
任意で、第１シグナリング及び／又は制御チャネルエリア構成シグナリングは、物理レイヤシグナリングである。例えば、第１シグナリング及び／又は制御チャネルエリア構成シグナリングは、Ｒｅｌ−８に規定される制御チャネルエリア内に位置する。任意で、第１シグナリング及び／又は制御チャネルエリア構成シグナリングは、ネットワークデバイスにより、１つの端末デバイス又は端末デバイスの１つのグループに送信される。ダウンリンクシステム帯域幅が、１０ＲＢ（リソースブロック、ｒｅｓｏｕｒｃｅ  ｂｌｏｃｋ）より小さいか、又はそれに等しいとき、Ｒｅｌ−８において規定される制御チャネルエリアは、１つのサブフレームの最初の２つ、３つ又は４つのシンボルを占有する。ダウンリンクシステム帯域幅が１０ＲＢより大きいとき、Ｒｅｌ−８において規定されるＰＤＣＣＨエリアは、１つのサブフレームの最初の１つ、２つ又は３つのシンボルを占有する。
【０１１８】
制御チャネルエリア及び探索空間についての前述の説明に関連して、探索空間決定の解決手段及び制御チャネルエリア決定の解決手段が以下で別途説明される。異なる解決手段において、制御チャネルエリア構成シグナリングは、第２シグナリング、第３シグナリング、第４シグナリング、第５シグナリング、及び第６シグナリング等、異なるシグナリング名が名づけられることに留意されたい。
【０１１９】
Ａ．探索空間決定の解決手段
【０１２０】
１．第１探索空間決定の解決手段
【０１２１】
第１シグナリングおける構成情報は、探索空間のＣＣＥリソース構成情報であり、構成情報は、Ｙ、Ｌ、及びＭ（Ｌ）のうちの少なくとも１つを示す、すなわち、第１シグナリングは、Ｙ、Ｌ、及びＭ（Ｌ）のうちの少なくとも１つを示す。
【０１２２】
端末デバイス側において、端末デバイスが、構成情報（又は第１シグナリング）、及び、探索空間式
【数１５】
2019517208.tif 000018
に基づいて探索空間を決定することは、具体的には、以下の事項を含む。
【０１２３】
端末デバイスは、構成情報（又は第１シグナリング）に基づいて、番号が
【数１６】
2019517208.tif 000019
であるＣＣＥを探索空間が含むと決定し、ｉ＝０，...，Ｌ−１であり、ｍ＝０，...，Ｍ（Ｌ）−１であり、Ｍ（Ｌ）は、アグリゲーションレベルがＬである探索空間に含まれる候補ダウンリンク制御チャネルの数であり、ＮＣＣＥは、利用可能なＣＣＥの総数を表す。具体的には、探索空間は、伝送時間間隔ｍに位置し、ＮＣＣＥは、伝送時間間隔ｍにおいて利用可能なＣＣＥの総数を表し、伝送時間間隔ｍは、探索空間が位置するサブフレームに含まれる複数の伝送時間間隔のうちの１つである。
【０１２４】
ネットワークデバイス側において、ネットワークデバイスは、前述の第１シグナリングを端末デバイスに送信してよく、第１シグナリングは、具体的には、探索空間式内のＹ、Ｌ、及びＭ（Ｌ）のうちの少なくとも１つを示す。
【０１２５】
任意で、第１シグナリングは、Ｙ及びＬを示す。Ｍ（Ｌ）は、表１に示される値である、すなわち、端末デバイスは、表１に基づいてＭ（Ｌ）を決定する。この場合、ネットワークデバイスは、端末デバイスのダウンリンクチャネル状態に基づいて、Ｌを構成してよい。ダウンリンクチャネル状態が良いとき、比較的小さいＬの値が構成され、又は、ダウンリンクチャネル状態が悪い場合、比較的大きいＬの値が構成される。加えて、端末デバイスは、第１シグナリングに基づいて、Ｌの値を取得し、アグリゲーションレベルがＬである探索空間においてのみ、ダウンリンク制御チャネルのブラインド検出を行うことで、ブラインド検出回数の数が低減され得る。加えて、ネットワークデバイスは、必要に応じて、Ｙを調整することにより異なるＣＣＥに位置すべく、探索空間を構成してよい。
【０１２６】
任意で、第１シグナリングは、探索空間のアグリゲーションレベルＬを示す。この場合、Ｙの値は予め設定される。例えば、Ｙ＝０又はＹ＝ｎＲＮＴＩであり、ｎＲＮＴＩは、端末デバイスの識別子であり、又は、
【数１７】
2019517208.tif 000020
であり、
【数１８】
2019517208.tif 000021
は、セル識別子であり、又は、Ｙは、Ｒｅｌ−８において規定される端末デバイスに固有の探索空間に基づいて計算されたＹの値に等しい。
【０１２７】
２．第２探索空間決定の解決手段
【０１２８】
第１シグナリングにおける構成情報は、探索空間のＣＣＥリソース構成情報である、すなわち、第１シグナリングは、探索空間により占有されるＣＣＥリソースを示し、第２シグナリングは、制御チャネルエリアにより占有されるリソースを示す。第２シグナリングは、ＮＣＣＥＧ個の情報フィールドを含み、それぞれ、ＮＣＣＥＧ個のＣＣＥＧ内にあり、制御チャネルエリア用に構成されるＣＣＥの数を示す。ｉ番目の情報フィールドは、ＣＣＥＧｉ−１内のＨ個のＣＣＥが制御チャネルエリア用に構成されることを示し、ｉはＮＣＣＥＧより大きくない正の整数であり、Ｈは非負整数である。
【０１２９】
具体的には、端末デバイスが制御チャネルエリアを決定する前に、方法は、さらに、端末デバイスにより、第２シグナリングを受信する段階であって、第２シグナリングは、制御チャネルエリアにより占有されるリソースを示し、第２シグナリングは、ＮＣＣＥＧ個の情報フィールドを含み、ＮＣＣＥＧ個の情報フィールドのｉ番目の情報フィールドは、制御チャネルエレメントグループＣＣＥＧｉ−１内のＨ個のＣＣＥが制御チャネルエリア用に構成されることを示し、ｉはＮＣＣＥＧより大きくない正の整数であり、ＣＣＥＧｉ−１はＧ個のＣＣＥを含み、Ｇは正の整数であり、ＨはＧより大きくない非負整数である、段階を含む。
【０１３０】
任意で、Ｇは８に等しく、ｉ番目の情報フィールドのビットの数は２である。これは、ＣＣＥＧｉ−１が８つのＣＣＥを含み、ｉ番目の情報フィールドが２ビットの情報を含み、２ビットの情報の４つの状態は、それぞれＨの４つの値を示すことを意味する。例えば、Ｈは０、２、４、又は８である。任意で、「００」は０を示し、「０１」は２を示し、「１０」は４を示し、「１１」は８を示す。図３は、本発明に係る第２探索空間決定の解決手段における探索空間を示す概略図である。図３に示されるように、ＮＣＣＥＧ＝３であり、第１情報フィールドは、ＣＣＥＧ０内のＣＣＥが制御チャネルエリア用に構成されていないことを示す「００」であり、第２情報フィールドは、ＣＣＥＧ１内の２つのＣＣＥが制御チャネルエリア用に構成されていることを示す「０１」であり、第３情報フィールドは、ＣＣＥＧ２内の４つのＣＣＥが制御チャネルエリア用に構成されることを示す「１０」である。例えば、Ｈは１、２、４又は８である。任意で、「００」は１を示し、「０１」は２を示し、「１０」は４を示し、「１１」は８を示す。
【０１３１】
任意で、Ｇは４に等しく、具体的には、１つのＣＣＥＧは４つのＣＣＥを含む。ｉ番目の情報フィールドは１ビットの情報を含み、１ビットの情報の２つの状態は、それぞれＨの２つの値を示す。例えば、Ｈは０又は４である。任意で、「０」及び「１」は、それぞれ０及び４を示す。例えば、Ｈは２又は４である。任意で、「０」及び「１」は、それぞれ２及び４を示す。
【０１３２】
任意で、Ｇは１６に等しく、具体的には、１つのＣＣＥＧは１６個のＣＣＥを含む。ｉ番目の情報フィールドは３ビットの情報を含み、３ビットの情報の８つの状態は、それぞれＨの８つの値を示す。例えば、Ｈの８つの値は、０、１、２、４、６、８、１０、１２、１４及び１６のうちの８つの値である。
【０１３３】
前述の解決手段のいずれか１つに基づいて、構成情報（又は第１命令）は、探索空間がＣＣＥＧｊに位置することを示す、又は、構成情報（又は第１命令）は、探索空間の開始ポイントがＣＣＥＧｊであることを示し、ｊはＮＣＣＥＧより小さい非負整数である。
【０１３４】
具体的に、第１シグナリングは、探索空間がＣＣＥＧｊに位置することを示し、ｊはＮＣＣＥＧより小さい非負整数である。このやり方では、探索空間は、複数のＣＣＥＧを占有することができない。
【０１３５】
任意で、第１シグナリングは、探索空間の開始ポイントがＣＣＥＧｊであることを示し、ｊはＮＣＣＥＧより小さい非負整数である。具体的には、第１シグナリングはｊの値を示し、アグリゲーションレベルがＬである探索空間は、番号が
【数１９】
2019517208.tif 000022
であるＣＣＥを含む。Ｇは、１つのＣＣＥＧに含まれるＣＣＥの数であり、ｉ＝０，...，Ｌ−１であり、ｍ＝０，...，Ｍ（Ｌ）−１であり、Ｍ（Ｌ）は、アグリゲーションレベルがＬである探索空間に含まれる候補ダウンリンク制御チャネルの数である。このやり方では、探索空間のアグリゲーションレベルが比較的大きいとき、探索空間は、複数のＣＣＥＧを占有してよい。第２シグナリングにおいて示されるＣＣＥＧｊ内のＣＣＥが制御チャネルエリア用に構成されていないとき、探索空間は構成されない、すなわち、端末デバイスは、ダウンリンク制御情報を検出する必要がない（段階１０２がスキップされる）。例えば、図３に示されるように、ＮＣＣＥＧ＝３であり、端末デバイスが第１端末デバイスである場合、探索空間の開始ポイントはＣＣＥＧ１に位置し、端末デバイスが第２端末デバイスである場合、探索空間の開始ポイントはＣＣＥＧ２であり、又は、端末デバイスが第３端末デバイスである場合、探索空間の開始ポイントはＣＣＥＧ０である。しかしながら、図３は、ＣＣＥＧ０内のＣＣＥが制御チャネルエリア用に現在構成されていないことを示しており、したがって、第３端末デバイスは、ダウンリンク制御情報を検出する必要がない。図４は、本発明に係る第２探索空間決定の解決手段における探索空間を示す別の概略図である。例えば、図４に示されるように、ＮＣＣＥＧ＝３であり、端末デバイスが第１端末デバイスである場合、探索空間の開始ポイントはＣＣＥＧ１であり、端末デバイスが第２端末デバイスである場合、探索空間の開始ポイントはＣＣＥＧ２であり、探索空間は、アグリゲーションレベルが８である２つの候補ダウンリンク制御チャネルを含み、すなわち、探索空間がＣＣＥＧ２及びＣＣＥＧ０を占有し、又は、端末デバイスが第３端末デバイスである場合、探索空間の開始ポイントはＣＣＥＧ０である。しかしながら、ＣＣＥＧ０のＣＣＥは、第２端末デバイスに割り当てられ、したがって、第３端末デバイスはダウンリンク制御情報を検出することはない。
【０１３６】
第２探索空間決定の解決手段において、対応するネットワーク側のデバイスは、第２シグナリングを送信し、第２シグナリングは、制御チャネルエリアにより占有されるリソースを示し、第２シグナリングは、ＮＣＣＥＧ個の情報フィールドを含み、ＮＣＣＥＧ個の情報フィールドのｉ番目の情報フィールドは、制御チャネルエレメントグループＣＣＥＧｉ−１内のＨ個のＣＣＥが制御チャネルエリア用に構成されることを示し、ｉはＮＣＣＥＧより大きくない正の整数であり、ＣＣＥＧｉ−１はＧ個のＣＣＥを含み、Ｇは正の整数であり、ＨはＧより大きくない非負整数である。
【０１３７】
任意で、Ｇは８に等しく、Ｈは０、２、４、又は８であり、又は、Ｈは１、２、４又は８であり、ｉ番目の情報フィールドのビットの数は２である。具体的な実装については、端末デバイス側の説明を参照する。
【０１３８】
３．第３探索空間決定の解決手段
【０１３９】
第１シグナリングは、探索空間の構成情報を含み、さらに、第１シグナリングは、制御チャネルエリアの構成情報をさらに含む。任意で、探索空間の構成情報及び制御チャネルエリアの構成情報は、共同で示され、すなわち、同一の情報フィールドに位置し、以降の説明を容易にするために、第１構成情報として表される。
【０１４０】
端末デバイス側において、端末デバイスは、第１シグナリングを受信し、第１シグナリングは、探索空間の構成情報及び制御チャネルエリアの構成情報を含む。端末デバイスは、探索空間の構成情報に基づいて、探索空間により占有されるＣＣＥリソースを決定し、制御チャネルエリアの構成情報に基づいて、制御チャネルエリアにより占有されるＣＣＥリソースを決定する。すなわち、端末デバイスは、受信した第１シグナリングに基づいて、制御チャネルエリア及び探索空間を決定し、探索空間は、制御チャネルエリア内に位置し、第１シグナリングは、制御チャネルエリアにより占有されるリソース及び探索空間により占有されるリソースを示す。第３探索空間決定の解決手段は、少なくとも以下の２つの方法を含む。
【０１４１】
第１方法、第１命令は、制御チャネルエリアがＸ個の連続するＣＣＥを占有することを示し、探索空間の開始ポイントがＣＣＥｉであることを示し、Ｘは正の整数であり、ｉはＸより小さい非負整数である。すなわち、探索空間の構成情報は、探索空間の開始ポイントがＣＣＥｉであることを示し、制御チャネルエリアの構成情報は、制御チャネルエリアがＸ個の連続するＣＣＥを占有することを示す。
【０１４２】
具体的には、制御チャネルエリアは、Ｘ個の連続するＣＣＥを占有し、ＣＣＥの開始ポイントはＣＣＥ０であり、第１シグナリングは、Ｘの値及び探索空間の開始ポイントを示す。すなわち、制御チャネルエリアの構成情報は、Ｘの値を示し、探索空間の構成情報は、探索空間の開始ポイントがＣＣＥｉであることを示す。図５は、本発明に係る第３探索空間決定の解決手段における探索空間を示す概略図である。例えば、図５において、第１シグナリングは、Ｘ＝６を示す。第１端末デバイスについて、第１シグナリングは、さらに、探索空間の開始ポイントがＣＣＥ０であることを示し、第２端末デバイスについて、第１シグナリングは、さらに、探索空間の開始ポイントがＣＣＥ４であることを示す。任意で、第１シグナリングは、１つの端末デバイスに送信される。この場合、第１シグナリングは、Ｘの値を示すＢビットの情報及び探索空間の開始ポイントを含む、すなわち、第１構成情報は、Ｂビットを有し、
【数２０】
2019517208.tif 000023
である。例えば、ＮＣＣＥ＝１６である。この場合、Ｂ＝８である。任意で、第１シグナリングは、Ｕ個（Ｕは正の整数である）の端末デバイスに送信される。この場合、第１シグナリングは、Ｘの値を示すＢビットの情報及び探索空間のＵ個の開始ポイントを含み、
【数２１】
2019517208.tif 000024
である。例えば、Ｕ＝２であり、ＮＣＣＥ＝１６である。この場合、Ｂ＝１２である。
【０１４３】
第１方法では、第１シグナリングにおいて示される制御チャネルエリアは、１又は複数の端末デバイスのダウンリンク制御チャネルにより占有されるリソースである。第１シグナリングを用いることにより、端末デバイスは、未使用のリソースを決定し、次に、未使用のリソースを用いることによりＰＤＳＣＨを受信してよい。この方法では、少ない数の情報ビットが探索空間及び制御チャネルエリアを示すべく用いられる。
【０１４４】
第２方法、第１命令は、制御チャネルエリアがＥ個の連続するＣＣＥＧを占有することを示し、探索空間の開始ポイントがＣＣＥＧｉであることを示し、Ｅは正の整数であり、ｉはＥより小さい非負整数である。すなわち、探索空間の構成情報は、探索空間の開始ポイントがＣＣＥＧｉであることを示し、制御チャネルエリアの構成情報は、制御チャネルエリアがＥ個の連続するＣＣＥＧを占有することを示す。
【０１４５】
具体的には、制御チャネルエリアは、Ｅ個の連続するＣＣＥＧを占有し、Ｅ個の連続するＣＣＥＧの開始ポイントはＣＣＥＧ０である。第１シグナリングは、Ｅの値を示し、探索空間の開始ポイントがＣＣＥＧｉであることを示し、ｉはＥより小さい非負整数である。すなわち、制御チャネルエリアの構成情報は、Ｅの値を示し、探索空間の構成情報は、探索空間の開始ポイントがＣＣＥＧｉであることを示す。任意で、Ｇ個のＣＣＥは連続的に分配されてよい。例えば、図５では、１つのＣＣＥＧは２つのＣＣＥを含み、制御チャネルエリアは、３つの連続するＣＣＥＧを占有する。第１端末デバイスの探索空間開始ポイントはＣＣＥＧ０であり、第２端末デバイスの探索空間開始ポイントはＣＣＥＧ２である。任意で、Ｇ個のＣＣＥは、不連続又は等間隔で分配される。ＣＣＥＧを用いると、第１方法と比較して、第１シグナリングのオーバヘッドをさらに低減できる。
【０１４６】
任意で、前述の解決手段のうちのいずれか１つにおける第１シグナリングは、ネットワークデバイスにより送信されてよい、又は、別の制御デバイスにより送信されてよい。これは、本願において限定されるものではない。
【０１４７】
Ｂ．制御チャネルエリア決定の解決手段
【０１４８】
４．第１制御チャネルエリア決定の解決手段
【０１４９】
第３シグナリングは、制御チャネルエリアがＮ個のショートリソースブロックＳＲＢ又はＮ個のＳＲＥＧを占有することを示し、Ｎは正の整数である。任意で、ＮはＣで割り切ることができ、Ｃは正の整数である。例えば、Ｃは３又は４に等しい。ＳＲＢ及びＳＲＥＧの説明については、前述の説明を参照されたい。
【０１５０】
本解決手段における本発明の一実施形態は、第１シグナリング及び探索空間の決定に適用されてよいが、単なる「第３シグナリング」から「第１シグナリングに含まれる探索空間の構成情報」への変更及び「制御チャネルエリア」から「探索空間」への変更が必要とされるに過ぎないことに留意されたい。例えば、探索空間の構成情報は、探索空間がＮ個のショートリソースブロックＳＲＢ又はＮ個のＳＲＥＧを占有することを示し、Ｎは正の整数である。具体的な内容については、解決手段における説明を参照し、詳細はここでは再度説明しない。
【０１５１】
端末デバイスが制御チャネルエリアを決定する前に、方法は、さらに、端末デバイスにより、第３シグナリングを受信する段階と、次に、端末デバイスにより、第３シグナリングに基づいて、制御チャネルエリアを決定する段階とを含む。
【０１５２】
任意で、第３シグナリングは、ネットワークデバイスにより送信されてよく、ネットワークデバイス側の具体的な実装は、ネットワークデバイスが探索空間においてダウンリンク制御情報を送信する前に、ネットワークデバイスが第３シグナリングを送信する。
【０１５３】
ネットワークデバイスが制御チャネルエリアを決定することは、ネットワークデバイスにより、制御チャネルエリアがＮ個のショートリソースブロックＳＲＢ又はＮ個のＳＲＥＧを占有すると判断することを含む。
【０１５４】
具体的な実装は、以下の方式を含む。
【０１５５】
第１方式：端末デバイスは、制御チャネルエリアがＮ個のＳＲＢ又はＮ個のＳＲＥＧを占有すると判断し、Ｎは正の整数である。任意で、端末デバイスは、受信した第３シグナリングに基づいて、制御チャネルエリアがＮ個のＳＲＢ又はＮ個のＳＲＥＧを占有すると判断する。任意で、ＮはＣで割り切ることができる、すなわち、Ｎ＝Ｃ×ａ（ａは正の整数である）。Ｃは、１つのダウンリンク物理チャネルにより占有されるＳＲＢの最小の数であり、又は、Ｃは、１つのＣＣＥにより占有されるＳＲＢの数である。Ｃは正の整数である。例えば、Ｃ＝３又は４である。この方法では、ＮはＣで割り切ることができ、その結果、冗長なリソースインジケーション状態が回避される。
【０１５６】
第２方式：制御チャネルエリアは、Ｎ個の連続するＳＲＢ又はＮ個の連続するＳＲＥＧを占有し、第３シグナリングは、Ｎ個の連続するＳＲＢ又はＮ個の連続するＳＲＥＧの開始ポイント及びエンドポイントを示す。このやり方では、第３シグナリングは、Ｎ個の連続するＳＲＢ又はＮ個の連続するＳＲＥＧを示すべく用いられるＢビットの情報を含み、ここで、
【数２２】
2019517208.tif 000025
であり、ＮＳＲＢは、利用可能な帯域幅に含まれるＳＲＢ又はＳＲＥＧの数である。
【０１５７】
第３方式：制御チャネルエリアは、Ｎ個の連続するＳＲＢ又はＮ個の連続するＳＲＥＧを占有し、Ｎ個の連続するＳＲＢ又はＮ個の連続するＳＲＥＧの開始ポイントは、利用可能な帯域幅において、最も小さいＳＲＢ番号を有するＳＲＢ又は最も小さいＳＲＥＧ番号を有するＳＲＥＧであり、第３シグナリングは、Ｎの値を示す、又は、Ｎ個の連続するＳＲＢ又はＮ個の連続するＳＲＥＧのエンドポイントを示す。このやり方では、第３シグナリングは、Ｎを示すべく用いられるＢビットの情報を含み、ここで、
【数２３】
2019517208.tif 000026
である。
【０１５８】
第４方式：制御チャネルエリアは、番号が（ＳＳＲＢ＋ｉ）ｍｏｄＮＳＲＢであるＳＲＢ又はＳＲＥＧを含む、Ｎ個のＳＲＢ又はＮ個のＳＲＥＧを占有し、ｉ＝０，...，Ｎ−１であり、第３シグナリングはＮの値を示す。ＳＳＲＢは、セル識別子
【数２４】
2019517208.tif 000027
に基づいて計算される。例えば、
【数２５】
2019517208.tif 000028
であり、
【数２６】
2019517208.tif 000029
であり、又は、
【数２７】
2019517208.tif 000030
であり、ｋは正の整数である。このやり方では、第３シグナリングは、Ｎを示すべく用いられるＢビットの情報を含み、ここで、
【数２８】
2019517208.tif 000031
である。
【０１５９】
５．第２制御チャネルエリア決定の解決手段
【０１６０】
端末デバイスは、受信した第４シグナリングに基づいて、制御チャネルエリアが、Ｍ個の仮想ショートリソースブロック（Ｖｉｒｔｕａｌ  Ｓｈｏｒｔ  Ｒｅｓｏｕｒｃｅ  Ｂｌｏｃｋ、ＶＳＲＢ）を占有すると判断し、端末デバイスは、ＶＳＲＢと物理ショートリソースブロック（Ｐｈｙｓｉｃａｌ  Ｓｈｏｒｔ  Ｒｅｓｏｕｒｃｅ  Ｂｌｏｃｋ、ＰＳＲＢ）との間のマッピング関係に基づいて、制御チャネルエリアにより占有される物理ショートリソースブロックＰＳＲＢを決定する。ＶＳＲＢ及びＰＳＲＢのサイズがＳＲＢのサイズと同一であることに留意されたい。任意で、ＶＳＲＢ及びＰＳＲＢは、１対１の対応関係にある、すなわち、ｎＰＲＢ＝ｎＶＲＢである。ｎＰＲＢは、ＰＳＲＢ番号であり、ｎＶＲＢは、ＶＳＲＢ番号である。図６は、本発明に係る第２制御チャネルエリア決定の解決手段における制御チャネルエリアを示す概略図である。例えば、図６に示されるように、ＶＳＲＢは、局在化された仮想ショートリソースブロック（ｌｏｃａｌｉｚｅｄ  ＶＳＲＢ、ＬＶＳＲＢ）と称されてよい。任意で、ＶＳＲＢ及びＰＳＲＢは、１対１の対応関係にない、すなわち、連続するＶＳＲＢは、不連続なＰＳＲＢ（すなわち、分配型ＰＳＲＢ）に対応する。図７は、本発明に係る第２制御チャネルエリア決定の解決手段における制御チャネルエリアを示す別の概略図である。例えば、図７に示されるように、連続する仮想ショートリソースブロックは、不連続な物理ショートリソースブロックに対応する。この場合、ＶＳＲＢは、分配された仮想ショートリソースブロック（ｄｉｓｔｒｉｂｕｔｅｄ  ＶＳＲＢ、ＤＶＳＲＢ）である。第２解決手段は、主に、ＶＳＲＢ及びＰＳＲＢを用いることにより説明されることに留意されたい。ＶＳＲＥＧ及びＰＳＲＥＧの実装例については、ＶＳＲＢ及びＰＳＲＢのそれらを参照するが、単なるＶＳＲＢからＶＳＲＥＧへの変更及びＰＳＲＢからＰＳＲＥＧへの変更が必要とされるに過ぎない。詳細はここでは再度説明しない。
【０１６１】
本解決手段における本発明の一実施形態は、第１シグナリング及び探索空間の決定に適用されるが、単なる「第４シグナリング」から「第１シグナリングに含まれる探索空間の構成情報」への変更及び「制御チャネルエリア」から「探索空間」への変更が必要とされるに過ぎないことに留意されたい。例えば、探索空間の構成情報は、探索空間がＭ個の仮想ショートリソースブロックを占有することを示す。具体的な内容については、解決手段における説明を参照し、詳細はここでは再度説明しない。
【０１６２】
任意で、第４シグナリングは、制御チャネルエリアがＭ個の連続する仮想ショートリソースブロック又はＭ個の連続する仮想ＳＲＥＧ（ＶＳＲＥＧ、Ｖｉｒｔｕａｌ  ＳＲＥＧ）を占有することを示し、Ｍは正の整数である。任意で、ＭはＣで割り切ることができ、Ｃは正の整数である。例えば、Ｃは３又は４に等しい。ＳＲＢ及びＳＲＥＧの説明については、前述の説明を参照されたい。
【０１６３】
端末デバイス側において、端末デバイスが制御チャネルエリアを決定する前に、方法は、さらに、端末デバイスにより第４シグナリングを受信する段階を含む。
【０１６４】
任意で、端末デバイスが制御チャネルエリアを決定することは、端末デバイスにより、第４シグナリング及び仮想ショートリソースブロックと物理ショートリソースブロックとの間のマッピング関係に基づいて、制御チャネルエリアにより占有されるＭ個の不連続な物理ショートリソースブロックを決定することを含み、仮想ショートリソースブロックと物理ショートリソースブロックとの間のマッピング関係は、Ｍ個の連続する仮想ショートリソースブロックがＭ個の不連続な物理ショートリソースブロックに対応することを示す。
【０１６５】
任意で、端末デバイスが制御チャネルエリアを決定することは、端末デバイスにより、第４シグナリング及びＶＳＲＥＧと物理ＳＲＥＧ（ＰＳＲＥＧ、Ｐｈｙｓｉｃａｌ  ＳＲＥＧ）との間のマッピング関係に基づいて、制御チャネルエリアにより占有されるＭ個の不連続なＰＳＲＥＧを決定することを含み、ＶＳＲＥＧとＰＳＲＥＧとの間のマッピング関係は、Ｍ個の連続するＶＳＲＥＧがＭ個の不連続なＰＳＲＥＧに対応することを示す。
【０１６６】
任意で、第４シグナリングは、ネットワークデバイスにより送信されてよく、ネットワークデバイス側の解決手段の実装例は、ネットワークデバイスが探索空間においてダウンリンク制御情報を送信する前に、ネットワークデバイスが第４シグナリングを送信することであってよい。
【０１６７】
任意で、ネットワークデバイスが制御チャネルエリアを決定することは、ネットワークデバイスにより、制御チャネルエリアがＭ個の不連続な物理ショートリソースブロックを占有すると判断することと、ネットワークデバイスにより、仮想ショートリソースブロックと物理ショートリソースブロックとの間のマッピング関係に基づいて、制御チャネルエリアがＭ個の連続する仮想ショートリソースブロックを占有すると判断することとを含む。
【０１６８】
任意で、ネットワークデバイスが制御チャネルエリアを決定することは、ネットワークデバイスにより、制御チャネルエリアがＭ個の不連続なＰＳＲＥＧを占有すると判断することと、ネットワークデバイスにより、ＶＳＲＥＧとＰＳＲＥＧとの間のマッピング関係に基づて、制御チャネルエリアがＭ個の連続するＶＳＲＥＧを占有すると判断することとを含む。
【０１６９】
本解決手段では、仮想ショートリソースブロックと物理ショートリソースブロックとの間のマッピング関係が予め構成されていてよく、又は、構成後に、ネットワークデバイスがマッピング関係を示すシグナリングを端末デバイスに送信し、次に、端末デバイスが、マッピング関係を示すシグナリングを受信する。
【０１７０】
これは、具体的には、以下の実装例を含む。
【０１７１】
第１実装例：第４シグナリングは、制御チャネルエリアがＭ個の連続するＶＳＲＢを占有することを示す。例えば、第４シグナリングは、Ｍ個の連続するＶＳＲＢの開始ポイント及びエンドポイントを示す。この場合、第４シグナリングは、Ｍ個の連続するＶＳＲＢを示すべく用いられるＢビットの情報を含み、ここで、
【数２９】
2019517208.tif 000032
であり、ＭＳＲＢは、利用可能な帯域幅に含まれるＶＳＲＢの数である。例えば、ＭＳＲＢ＝５０であり、Ｂ＝１１である。
【０１７２】
第２実装例：制御チャネルエリアは、Ｍ個の連続するＶＳＲＢを占有し、Ｍ個の連続するＶＳＲＢの開始ポイントは、利用可能な帯域幅において最も小さいＶＳＲＢ番号を有するＶＳＲＢであり、第４シグナリングは、Ｍの値を示す。この場合、第４シグナリングは、Ｍを示すべく用いられるＢビットの情報を含み、ここで、
【数３０】
2019517208.tif 000033
である。例えば、ＭＳＲＢ＝５０であり、Ｂ＝６であり、開始ポイントは、ＶＳＲＢ番号が０であるＶＳＲＢであり、Ｍの値を示す情報は、００１００１（すなわち、Ｍ＝９）である。この場合、制御チャネルエリアは、ＶＳＲＢ番号が０から８である９つの連続するＶＳＲＢを占有する。
【０１７３】
第３実装例：制御チャネルエリアは、番号が（ＳＳＲＢ＋ｉ）ｍｏｄＮＳＲＢであるＶＳＲＢを含むＭ個のＶＳＲＢを占有し、ｉ＝０，...，Ｍ−１であり、第４シグナリングはＭの値を示す。ＳＳＲＢは、セル識別子
【数３１】
2019517208.tif 000034
に基づいて計算される。例えば、
【数３２】
2019517208.tif 000035
であり、
【数３３】
2019517208.tif 000036
であり、又は、
【数３４】
2019517208.tif 000037
であり、ｋは正の整数である。この場合、第４シグナリングは、Ｍを示すべく用いられるＢビットの情報を含み、ここで、
【数３５】
2019517208.tif 000038
である。例えば、ＭＳＲＢ＝５０であり、Ｂ＝６であり、
【数３６】
2019517208.tif 000039
であり、Ｍの値を示す情報は、００１００１（すなわち、Ｍ＝９）である。この場合、制御チャネルエリアは、ＶＳＲＢ番号が４５から４９及び０から３である９つの連続するＶＳＲＢを占有する。
【０１７４】
第４実装例：制御チャネルエリアは、Ｍ個の連続するＶＳＲＢを占有し、Ｍ個の連続するＶＳＲＢの開始ポイントは、利用可能な帯域幅において最も小さいＶＳＲＢ番号を有するＶＳＲＢであり、第２シグナリングは、Ｍ個の連続するＶＳＲＢのエンドポイントを示す。この場合、第２シグナリングは、Ｎを示すべく用いられるＢビットの情報を含み、ここで、
【数３７】
2019517208.tif 000040
である。例えば、ＭＶＲＢ＝５０であり、Ｂ＝６であり、開始ポイントは、番号が０であるＶＳＲＢであり、エンドポイントを示す情報は、００１００１（すなわち、Ｍ＝９）である。この場合、制御チャネルエリアは、ＶＳＲＢ番号が０から９である１０個の連続するＶＳＲＢを占有する。
【０１７５】
第５実装例：第４シグナリングは、制御チャネルエリアがＮ個の連続するＶＳＲＢＧ（ＶＳＲＢ  Ｇｒｏｕｐ）を占有することを示し、１つのＶＳＲＢＧは、Ｐ個の連続するＶＳＲＢを含み、Ｐは正の整数であり、Ｍ＝Ｎ×Ｐである。例えば、Ｐは３又は４である。例えば、第４シグナリングは、Ｎ個の連続するＶＳＲＢＧの開始ポイント及びエンドポイントを示す。この場合、第４シグナリングは、Ｎ個の連続するＶＳＲＢＧを示すべく用いられるＢビットの情報を含み、ここで、
【数３８】
2019517208.tif 000041
であり、ＮＳＲＢＧは、利用可能な帯域幅に含まれるＶＳＲＢＧの数である。例えば、ＮＳＲＢ＝５０であり、ＮＳＲＢＧ＝１６であり、Ｂ＝８である。
【０１７６】
第６実装例：制御チャネルエリアは、Ｎ個の連続するＶＳＲＢＧを占有し、Ｍ個の連続するＶＳＲＢの開始ポイントは、利用可能な帯域幅において最も小さいＶＳＲＢ番号を有するＶＳＲＢであり、第４シグナリングは、Ｎの値を示す。Ｍ＝Ｎ×Ｐである。例えば、Ｐは３又は４である。この場合、第４シグナリングは、Ｎを示すべく用いられるＢビットの情報を含み、ここで、
【数３９】
2019517208.tif 000042
である。例えば、ＮＳＲＢＧ＝１６であり、Ｂ＝４であり、Ｐ＝３であり、開始ポイントは、ＶＳＲＢ番号が０であるＶＳＲＢであり、Ｎの値を示す情報は、００１１（すなわち、Ｎ＝３）であり、したがって、Ｍ＝９である。この場合、制御チャネルエリアは、ＶＳＲＢ番号が０から８である９つの連続するＶＳＲＢを占有する。
【０１７７】
本実装例では、第４シグナリングのオーバヘッドが比較的少なく、特に、オーバヘッドは、ＶＳＲＢＧが用いられた後にさらに低減される。ネットワークデバイスが正確なチャネル状態情報を取得できない場合、ＤＳＶＲＢは、周波数領域のダイバーシティ利得を得るべく用いられてよい。
【０１７８】
６．第３制御チャネル領域決定の解決手段
【０１７９】
第１シグナリングは、ＣＣＥリソースを示し、端末デバイスが制御チャネルエリアを決定する前に、方法は、さらに、端末デバイスにより、第５シグナリングを受信する段階であって、第５シグナリングは、制御チャネルエリアがＺ個の連続するＣＣＥを占有することを示し、Ｚは正の整数である、段階を含む。
【０１８０】
本解決手段における本発明の一実施形態は、第１シグナリング及び探索空間の決定に適用されるが、単なる「第５シグナリング」から「第１シグナリングに含まれる探索空間の構成情報」への変更及び「制御チャネルエリア」から「探索空間」への変更が必要とされるに過ぎないことに留意されたい。例えば、探索空間の構成情報は、探索空間がＺ個の連続するＣＣＥを占有することを示す。具体的な内容については、解決手段における説明を参照し、詳細はここでは再度説明しない。
【０１８１】
端末デバイスが制御チャネルエリアを決定することは、端末デバイスにより、第５シグナリングに基づいて、制御チャネルエリアを決定することを含む。
【０１８２】
任意で、第５シグナリングは、ネットワークデバイスにより送信されてよく、ネットワークデバイス側における具体的な実装は、ネットワークデバイスが探索空間においてダウンリンク制御情報を送信する前に、ネットワークデバイスが第５シグナリングを送信し、第５シグナリングは、制御チャネルエリアがＺ個の連続するＣＣＥを占有することを示す
【０１８３】
これは、端末デバイスが、受信した第５シグナリングに基づいて、制御チャネルエリアがＺ個の連続するＣＣＥを占有すると判断することを意味する。
【０１８４】
任意で、第５シグナリングは、Ｚ個の連続するＣＣＥのうちの開始ポイント及びエンドポイントを示す。この場合、第２シグナリングは、Ｚ個の連続するＣＣＥを示すべく用いられるＢビットの情報を含み、ここで、
【数４０】
2019517208.tif 000043
である。
【０１８５】
任意で、Ｚ個の連続するＣＣＥの開始ポイントはＣＣＥ０であり、第２シグナリングはＺの値を示す、又は、第５シグナリングはＺ個の連続するＣＣＥのエンドポイントを示す。
【０１８６】
７．第４制御チャネルエリア決定の解決手段
【０１８７】
端末デバイスは、制御チャネルエリアがＭ個のＳＲＢＧ（ＳＲＢ  Ｇｒｏｕｐ）を占有すると判断し、Ｍは正の整数である。任意で、端末デバイスは、受信した第６シグナリングに基づいて、制御チャネルエリアがＭ個のＳＲＢＧを占有すると判断する。この方法では、シグナリングオーバヘッドがＳＲＢＧのインジケーションを用いて低減される。
【０１８８】
本解決手段が、主に、ＶＳＲＢ及びＰＳＲＢを用いることにより説明されるが、ＶＳＲＥＧ及びＰＳＲＥＧにも適用可能であることに留意されたい。ＶＳＲＥＧ及びＰＳＲＥＧの実装例については、ＶＳＲＢ及びＰＳＲＢのそれらを参照するが、単なるＶＳＲＢからＶＳＲＥＧへの変更及びＰＳＲＢからＰＳＲＥＧへの変更が必要とされるに過ぎない。詳細はここでは再度説明しない。
【０１８９】
本解決手段にける本発明の一実施形態は、第１シグナリング及び探索空間の決定に適用されてよいが、単なる「第６シグナリング」から「第１シグナリングに含まれる探索空間の構成情報」への変更及び「制御チャネルエリア」から「探索空間」への変更が必要とされるに過ぎないことに留意されたい。例えば、探索空間の構成情報は、探索空間がＭ個のＳＲＢＧを占有することを示す。具体的な内容については、解決手段における説明を参照し、詳細はここでは再度説明しない。
【０１９０】
任意で、１つのＳＲＢＧはＰ個のＳＲＢを含み、Ｐは正の整数である。２つのＳＲＢＧ構成の解決手段は、以下のとおりである。
【０１９１】
第１ＳＲＢＧ構成の解決手段：１つのＳＲＢＧは、Ｐ個のＳＲＢを含み、Ｐ個のＳＲＢは、連続的に分配される。Ｐは正の整数、例えば、１、２、３又は４である。任意で、Ｍ×Ｐは、Ｃで割り切ることができ、Ｃは正の整数である。例えば、Ｃ＝３又は４である。例えば、Ｐ＝４であり、Ｃ＝３である。この場合、Ｍは、３で割り切られる必要があり、例えば、３、６又は９である。例えば、Ｐ＝３、Ｃ＝３である。この場合、Ｍは、任意の正の整数であってよい。
【０１９２】
第２ＳＲＢＧ構成の解決手段：１つのＳＲＢＧは、Ｐ個のＳＲＢを含み、Ｐ個のＳＲＢは、不連続又は等間隔で分配される。Ｐは正の整数であり、例えば、３、６、９又は１２である。図８は、本発明に係る第４制御チャネルエリア決定の解決手段における制御チャネルエリアを示す概略図である。図８に示されるように、利用可能な帯域幅は、５つのＳＲＢＧを含み、各ＳＲＢＧは、等間隔で分配された３つのＳＲＢを含む。この方法では、１つのＣＣＥにおける３つのＳＲＢが不連続に分配されており、その結果、周波数領域のダイバーシティ利得が得られることができる。
【０１９３】
任意で、第６シグナリングの２つのインジケーション方法は以下のとおりである。
【０１９４】
第１インジケーション方法：第６シグナリングは、制御チャネルエリアがＭ個のＳＲＢＧ（ＳＲＢ  Ｇｒｏｕｐ）を占有することを示し、Ｍは正の整数である。第６シグナリングは、Ｍ個のＳＲＢＧを示すべく用いられるＮＳＲＢＧビットの情報を含み、１ビットは１つのＳＲＢＧに対応する、すなわち、１ビットは、１つのＳＲＢＧの占有状態及び
【数４１】
2019517208.tif 000044
を示すべく用いられる。例えば、利用可能な帯域幅は５０個のＳＲＢを含み、１つのＳＲＢＧは３つのＳＲＢを含む。この場合、利用可能な帯域幅は、１６又は１７個（この場合、ＳＲＢＧのうちの１つが２つのＳＲＢを含む）のＳＲＢＧを含み、したがって、１６ビット又は１７ビットが制御チャネルエリアにより占有される周波数領域リソースを示すべく必要とされる。図８に示されるように、利用可能な帯域幅は５つのＳＲＢＧを含み、各ＳＲＢＧは、等間隔で分配された３つのＳＲＢを含む。第６シグナリングは５つのビットを含み、第１ビット及び第４ビットの両方が「１」である。それは、制御チャネルエリアがＳＲＢＧ０及びＳＲＢＧ３を占有することを示す。したがって、端末デバイスは、制御チャネルエリアがＳＲＢ０、３、５、８、１０及び１３を占有すると判断する。
【０１９５】
第２インジケーション方法：制御チャネルエリアは、Ｍ個の連続するＳＲＢＧを占有し、第６シグナリングは、Ｍ個の連続するＳＲＢＧの開始ポイント及びエンドポイントを示す。この場合、第６シグナリングは、Ｍ個の連続するＳＲＢＧを示すべく用いられるＢビットの情報を含み、ここで、
【数４２】
2019517208.tif 000045
であり、ＮＳＲＢＧは、は、利用可能な帯域幅に含まれるＳＲＢＧの数である。
【０１９６】
第３インジケーション方法：制御チャネルエリアは、Ｍ個の連続するＳＲＢＧを占有し、第６シグナリングは、制御チャネルエリアにより占有される第１ＳＲＢＧ（ＳＲＢ  Ｇｒｏｕｐ）を示す、すなわち、第６シグナリングは、Ｍ個のＳＲＢＧにおける第１ＳＲＢＧのロケーションを示す。第６シグナリングは、Ｍ個のＳＲＢＧにおける第１ＳＲＢＧを示すべく用いられる
【数４３】
2019517208.tif 000046
ビットの情報を含む。例えば、利用可能な帯域幅は１６個のＳＲＢＧを含み、この場合、４つのビットが第１ＳＲＢＧのロケーションを示すのに必要とされる。任意で、制御チャネルエリアは探索空間である。この場合、端末デバイスは、探索空間のサイズに基づて、Ｍを決定してよい。Ｍ＝Ｃ＊Ｌ＊Ｎｃｔｌであり、Ｃは、１つのＣＣＥにより占有されるＳＲＢの数であり、Ｌはアグリゲーションレベルであり、Ｎｃｔｌは、候補制御チャネルの数である。例えば、Ｃ＝３であり、Ｌ＝１であり、Ｎｃｔｌ＝２である。この場合、Ｍは６に等しい。図９は、本発明に係る第４制御チャネルエリア決定の解決手段における制御チャネルエリアを示す別の概略図である。図９に示されるように、第２ＳＲＢＧ構成の解決手段が用いられるとき、制御チャネルエリアは、ＳＲＢ０、１、５、６、１０及び１１を占有する。
【０１９７】
第４インジケーション方法：制御チャネルエリアは、Ｍ個の連続するＳＲＢＧを占有し、Ｍ個の連続するＳＲＢＧの開始ポイントは、利用可能な帯域幅において最も小さいＳＲＢＧ番号を有するＳＲＢＧであり、第６シグナリングは、Ｍの値を示す。この場合、第６シグナリングは、Ｍを示すべく用いられるＢビットの情報を含み、ここで、
【数４４】
2019517208.tif 000047
である。
【０１９８】
第１ＳＲＢＧ構成の解決手段又は第２ＳＲＢＧ構成の解決手段が、第６シグナリングの４つのインジケーション方法で説明されたＳＲＢＧに用いられることに留意されたい。
【０１９９】
図１０は、本発明に係る端末デバイスの実施形態１お概略構造図である。端末デバイスは、前述の解決手段のいずれか一つにおける端末デバイスについての技術的解決手段を実行するように構成されてよい。図１０に示されるように、端末デバイス１０は、受信モジュール１１、送信モジュール１２、及び処理モジュール１３を含む。
【０２００】
受信モジュール１１は、第１シグナリングを受信するように構成され、第１シグナリングは、探索空間の構成情報を含む。
【０２０１】
処理モジュール１３は、探索空間の構成情報に基づいて、探索空間により占有される周波数領域リソース又は制御チャネルエレメントＣＣＥリソースを決定するように構成される。
【０２０２】
処理モジュール１３は、さらに、探索空間においてダウンリンク制御情報を検出するように構成される。
【０２０３】
任意で、処理モジュール１３は、さらに、制御チャネルエリアを決定するように構成される。
【０２０４】
任意で、探索空間は、制御チャネルエリア内に位置する。
【０２０５】
任意で、探索空間の構成情報は、アグリゲーションレベルＬ及び探索空間開始ポイント識別子Ｙを示し、処理モジュール１３は、具体的には、
探索空間の構成情報に基づいて、番号が
【数４５】
2019517208.tif 000048
であるＣＣＥを探索空間が含むと決定するように構成され、ｉ＝０，...，Ｌ−１であり、ｍ＝０，...，Ｍ（Ｌ）−１であり、Ｍ（Ｌ）は、アグリゲーションレベルがＬである探索空間に含まれる候補ダウンリンク制御チャネルの数であり、ＮＣＣＥは、探索空間により占有される伝送時間間隔において利用可能なＣＣＥの総数を表す。
【０２０６】
任意で、受信モジュール１１は、さらに、第２シグナリングを受信するように構成され、第２シグナリングは、制御チャネルエリアにより占有されるリソースを示し、第２シグナリングは、ＮＣＣＥＧ個の情報フィールドを含み、ＮＣＣＥＧ個の情報フィールドのｉ番目の情報フィールドは、制御チャネルエレメントグループＣＣＥＧｉ−１内のＨ個のＣＣＥが制御チャネルエリア用に構成されることを示し、ｉはＮＣＣＥＧより大きくない正の整数であり、ＣＣＥＧｉ−１はＧ個のＣＣＥを含み、Ｇは正の整数であり、ＨはＧより大きくない非負整数である。
【０２０７】
任意で、受信モジュール１１により受信される第２シグナリングにおいて示されるＧは、８に等しく、Ｈは０、２、４、又は８であり、ｉ番目の情報フィールドのビットの数は２である。
【０２０８】
任意で、探索空間のものであり、かつ、受信モジュール１１により受信される構成情報は、探索空間がＣＣＥＧｊに位置することを示す、又は、探索空間の構成情報は、探索空間の開始ポイントがＣＣＥＧｊであることを示し、ｊはＮＣＣＥＧより小さい非負整数である。
【０２０９】
任意で、受信モジュール１１により受信される第１シグナリングは、さらに、制御チャネルエリアの構成情報を含み、探索空間の構成情報は、探索空間の開始ポイントがＣＣＥｉであることを示し、制御チャネルエリアの構成情報は、制御チャネルエリアがＸ個の連続するＣＣＥを占有することを示し、Ｘは正の整数であり、ｉはＸより小さい非負整数である。
【０２１０】
処理モジュール１３は、具体的には、制御チャネルエリアの構成情報に基づいて、制御チャネルエリアを決定するように構成される。
【０２１１】
任意で、受信モジュール１１により受信される第１シグナリングは、さらに、制御チャネルエリアの構成情報を含み、制御チャネルエリアの構成情報は、制御チャネルエリアがＥ個の連続するＣＣＥＧを占有することを示し、探索空間の構成情報は、探索空間の開始ポイントがＣＣＥＧｉであることを示し、Ｅは正の整数であり、ｉはＥより小さい非負整数である。
【０２１２】
処理モジュール１３は、具体的には、制御チャネルエリアの構成情報に基づいて、制御チャネルエリアを決定するように構成される。
【０２１３】
任意で、受信モジュール１１は、さらに、第３シグナリングを受信するように構成され、第３シグナリングは、制御チャネルエリアがＮ個のショートリソースブロックを占有することを示し、各ショートリソースブロックは、周波数ドメインにおいて１２個のサブキャリアを占有し、かつ、時間領域において１つ又は２つのシンボルを占有し、Ｎは、３又は４で割り切ることができる。
【０２１４】
処理モジュールは、さらに具体的には、第３シグナリングに基づいて、制御チャネルエリアを決定するように構成される。
【０２１５】
任意で、受信モジュール１１は、さらに、第４シグナリングを受信するように構成され、第４シグナリングは、制御チャネルエリアがＭ個の連続する仮想ショートリソースブロックを占有することを示し、Ｍは、３又は４で割り切ることができる正の整数である。
【０２１６】
処理モジュール１３は、さらに具体的には、第４シグナリング及び仮想ショートリソースブロックと物理ショートリソースブロックとの間のマッピング関係に基づいて、制御チャネルエリアにより占有されるＭ個の不連続な物理ショートリソースブロックを決定するように構成され、仮想ショートリソースブロックと物理ショートリソースブロックとの間のマッピング関係は、Ｍ個の連続する仮想ショートリソースブロックがＭ個の不連続な物理ショートリソースブロックに対応することを示す。
【０２１７】
任意で、受信モジュール１１は、さらに、第５シグナリングを受信するように構成され、第５シグナリングは、制御チャネルエリアがＺ個の連続するＣＣＥを占有することを示し、Ｚは正の整数である。
【０２１８】
処理モジュール１３は、さらに具体的には、第５シグナリングに基づいて、制御チャネルエリアを決定するように構成される。
【０２１９】
本実施形態において、受信モジュール１１は、受信ユニット１１とも称されてよく、送信モジュール１２は送信ユニット１２とも称されてよく、処理モジュール１３は、処理ユニット１３とも称されてよい。加えて、受信モジュール１１及び送信モジュール１２は、送受信モジュールに統合されてよいことに留意されたい。
【０２２０】
本実施形態において提供される端末デバイスは、前述の方法の実施形態のうちのいずれか１つにおける端末デバイスの技術的解決手段を実行するように構成され、端末デバイスの実装原理及び技術的効果は、方法の実施形態のそれらと同様である。詳細はここでは再度説明しない。
【０２２１】
図１１は、本発明に係るネットワークデバイスの実施形態２の概略構造図である。ネットワークデバイスは、前述の実施形態のうちのいずれか１つにおけるネットワークデバイスの技術的解決手段を実行するように構成されてよい。図１１に示されるように、ネットワークデバイス２０は、送信モジュール２１及び処理モジュール２２を含む。
【０２２２】
処理モジュール２２は、探索空間を決定するように構成される。
【０２２３】
送信モジュール２１は、
第１命令を送信し、第１シグナリングは、探索空間の構成情報を含み、構成情報は、周波数領域リソース又は制御チャネルエレメントＣＣＥリソースを示すべく用いられ、
探索空間においてダウンリンク制御情報を送信する
ように構成される。
【０２２４】
任意で、処理モジュール２２は、さらに、制御チャネルエリアを決定するように構成され、探索空間は制御チャネルエリア内に位置する。
【０２２５】
任意で、探索空間の構成情報は、アグリゲーションレベルＬ及び探索空間開始ポイント識別子Ｙを示し、処理モジュール２２は、具体的には、
番号が
【数４６】
2019517208.tif 000049
であるＣＣＥを探索空間が含むと決定するように構成され、ｉ＝０，...，Ｌ−１であり、ｍ＝０，...，Ｍ（Ｌ）−１であり、Ｍ（Ｌ）は、アグリゲーションレベルがＬである探索空間に含まれる候補ダウンリンク制御チャネルの数であり、ＮＣＣＥは、探索空間により占有される伝送時間間隔において利用可能なＣＣＥの総数を表す。
【０２２６】
任意で、送信モジュール２１は、さらに、第２シグナリングを送信するように構成され、第２シグナリングは、制御チャネルエリアにより占有されるリソースを示し、第２シグナリングは、ＮＣＣＥＧ個の情報フィールドを含み、ＮＣＣＥＧ個の情報フィールドのｉ番目の情報フィールドは、制御チャネルエレメントグループＣＣＥＧｉ−１内のＨ個のＣＣＥが制御チャネルエリア用に構成されることを示し、ｉはＮＣＣＥＧより大きくない正の整数であり、ＣＣＥＧｉ−１はＧ個のＣＣＥを含み、Ｇは正の整数であり、ＨはＧより大きくない非負整数である。
【０２２７】
任意で、送信モジュール２１により送信される第２シグナリングにおいて示されるＧは、８に等しく、Ｈは０、２、４、又は８であり、ｉ番目の情報フィールドのビットの数は２である。
【０２２８】
任意で、探索空間のものであり、かつ、送信モジュール２１により送信される構成情報は、探索空間がＣＣＥＧｊに位置することを示す、又は、探索空間の構成情報は、探索空間の開始ポイントがＣＣＥＧｊであることを示し、ｊはＮＣＣＥＧより小さい非負整数である。
【０２２９】
任意で、送信モジュール２１により受信される第１シグナリングは、さらに、制御チャネルエリアの構成情報を含み、制御チャネルエリアの構成情報は、制御チャネルエリアがＥ個の連続するＣＣＥＧを占有することを示し、探索空間の構成情報は、探索空間の開始ポイントがＣＣＥＧｉであることを示し、Ｅは正の整数であり、ｉはＥより小さい非負整数である。
【０２３０】
任意で、送信モジュール２１は、さらに、第３シグナリングを送信するように構成され、第３シグナリングは、制御チャネルエリアがＮ個のショートリソースブロックを占有することを示し、各ショートリソースブロックは、周波数ドメインにおいて１２個のサブキャリアを占有し、かつ、時間領域において１つ又は２つのシンボルを占有し、Ｎは、３又は４で割り切ることができる。
【０２３１】
任意で、送信モジュール２１は、さらに、第４シグナリングを送信するように構成され、第４シグナリングは、制御チャネルエリアがＭ個の連続する仮想ショートリソースブロックを占有することを示し、Ｍは、３又は４で割り切ることができる正の整数である。
【０２３２】
Ｍ個の連続する仮想ショートリソースブロックは、Ｍ個の不連続な物理ショートリソースブロックに対応する。
【０２３３】
任意で、送信モジュール２１は、さらに、第５シグナリングを送信するように構成され、第５シグナリングは、制御チャネルエリアがＺ個の連続するＣＣＥを占有することを示し、Ｚは正の整数である。
【０２３４】
本実施形態におけるネットワークデバイスは、さらに、受信モジュールを含んでよいことに留意されたい。加えて、送信モジュール２１は送信ユニット２１とも称されてよく、処理モジュール２２は処理ユニット２２とも称されてよい。加えて、受信モジュール２１及び送信モジュールは、送受信モジュールに統合されてよい。
【０２３５】
本実施形態において提供されるネットワークデバイスは、前述の方法の実施形態のうちのいずれか１つにおけるネットワークデバイスの技術的解決手段を実行するように構成され、ネットワークデバイスの実装原理及び技術的効果は、方法の実施形態のそれらと同様である。詳細はここでは再度説明しない。
【０２３６】
図１２は、本発明に係る端末デバイスの実施形態２の概略構造図である。図１２に示されるように、端末デバイスは、プロセッサ３２、送信器３３、及び受信器３４を含んでよく、さらに、メモリ３１を含んでよい。
【０２３７】
受信器３４は、第１シグナリングを受信するように構成され、第１シグナリングは、探索空間の構成情報を含む。
【０２３８】
プロセッサ３２は、探索空間の構成情報に基づいて、探索空間により占有される周波数領域リソース又は制御チャネルエレメントＣＣＥリソースを決定するように構成される。
【０２３９】
プロセッサ３２は、さらに、探索空間においてダウンリンク制御情報を検出するように構成される。
【０２４０】
任意で、プロセッサ３２は、さらに、制御チャネルエリアを決定するように構成され、探索空間は制御チャネルエリア内に位置する。
【０２４１】
任意で、探索空間の構成情報は、アグリゲーションレベルＬ及び探索空間開始ポイント識別子Ｙを示し、プロセッサ３２は、具体的には、
探索空間の構成情報に基づいて、番号が
【数４７】
2019517208.tif 000050
であるＣＣＥを探索空間が含むと決定するように構成され、ｉ＝０，...，Ｌ−１であり、ｍ＝０，...，Ｍ（Ｌ）−１であり、Ｍ（Ｌ）は、アグリゲーションレベルがＬである探索空間に含まれる候補ダウンリンク制御チャネルの数であり、ＮＣＣＥは、探索空間により占有される伝送時間間隔において利用可能なＣＣＥの総数を表す。
【０２４２】
任意で、受信器３４は、さらに、第２シグナリングを受信するように構成され、第２シグナリングは、制御チャネルエリアにより占有されるリソースを示し、第２シグナリングは、ＮＣＣＥＧ個の情報フィールドを含み、ＮＣＣＥＧ個の情報フィールドのｉ番目の情報フィールドは、制御チャネルエレメントグループＣＣＥＧｉ−１内のＨ個のＣＣＥが制御チャネルエリア用に構成されることを示し、ｉはＮＣＣＥＧより大きくない正の整数であり、ＣＣＥＧｉ−１はＧ個のＣＣＥを含み、Ｇは正の整数であり、ＨはＧより大きくない非負整数である。
【０２４３】
任意で、受信器３４により受信される第２シグナリングにおいて示されるＧは、８に等しく、Ｈは０、２、４、又は８であり、ｉ番目の情報フィールドのビットの数は２である。
【０２４４】
任意で、探索空間のものであり、かつ、受信器３４により受信される構成情報は、探索空間がＣＣＥＧｊに位置することを示す、又は、探索空間の構成情報は、探索空間の開始ポイントがＣＣＥＧｊであることを示し、ｊはＮＣＣＥＧより小さい非負整数である。
【０２４５】
任意で、受信器３４により受信される第１シグナリングは、さらに、制御チャネルエリアの構成情報を含み、探索空間の構成情報は、探索空間の開始ポイントがＣＣＥｉであることを示し、制御チャネルエリアの構成情報は、制御チャネルエリアがＸ個の連続するＣＣＥを占有することを示し、Ｘは正の整数であり、ｉはＸより小さい非負整数である。
【０２４６】
プロセッサ３２は、具体的には、制御チャネルエリアの構成情報に基づいて、制御チャネルエリアを決定するように構成される。
【０２４７】
任意で、受信器３４により受信される第１シグナリングは、さらに、制御チャネルエリアの構成情報を含み、制御チャネルエリアの構成情報は、制御チャネルエリアがＥ個の連続するＣＣＥＧを占有することを示し、探索空間の構成情報は、探索空間の開始ポイントがＣＣＥＧｉであることを示し、Ｅは正の整数であり、ｉはＥより小さい非負整数である。
【０２４８】
プロセッサ３２は、具体的には、制御チャネルエリアの構成情報に基づいて、制御チャネルエリアを決定するように構成される。
【０２４９】
任意で、受信器３４は、さらに、第３シグナリングを受信するように構成され、第３シグナリングは、制御チャネルエリアがＮ個のショートリソースブロックを占有することを示し、各ショートリソースブロックは、周波数ドメインにおいて１２個のサブキャリアを占有し、かつ、時間領域において１つ又は２つのシンボルを占有し、Ｎは、３又は４で割り切ることができる。
【０２５０】
プロセッサは、さらに具体的には、第３シグナリングに基づいて、制御チャネルエリアを決定するように構成される。
【０２５１】
任意で、受信器３４は、さらに、第４シグナリングを受信するように構成され、第４シグナリングは、制御チャネルエリアがＭ個の連続する仮想ショートリソースブロックを占有することを示し、Ｍは、３又は４で割り切ることができる正の整数である。
【０２５２】
プロセッサ３２は、さらに具体的には、第４シグナリング及び仮想ショートリソースブロックと物理ショートリソースブロックとの間のマッピング関係に基づいて、制御チャネルエリアにより占有されるＭ個の不連続な物理ショートリソースブロックを決定するように構成され、仮想ショートリソースブロックと物理ショートリソースブロックとの間のマッピング関係は、Ｍ個の連続する仮想ショートリソースブロックがＭ個の不連続な物理ショートリソースブロックに対応することを示す。
【０２５３】
任意で、受信器３４は、さらに、第５シグナリングを受信するように構成され、第５シグナリングは、制御チャネルエリアがＺ個の連続するＣＣＥを占有することを示し、Ｚは正の整数である。
【０２５４】
プロセッサ３２は、さらに具体的には、第５シグナリングに基づいて、制御チャネルエリアを決定するように構成される。
【０２５５】
図１２が端末デバイスの簡略設計を示すに過ぎないことが理解され得る。実際の適用では、端末デバイスは、受信器、プロセッサ、コントローラ、メモリ等の任意の数の送信器を含んでよく、本発明を実装できるすべての端末デバイスが本発明の保護範囲に含まれる。一般性を失うことなく、送信器及び受信器がトランシーバに統合されてよい。
【０２５６】
本実施形態において提供される端末デバイスは、前述の方法の実施形態のうちのいずれか１つにおける技術的解決手段を実行するように構成され、端末デバイスの実装原理及び技術的効果は、方法の実施形態のそれらと同様である。詳細はここでは再度説明しない。
【０２５７】
図１３は、本発明に係るネットワークデバイスの実施形態２の概略構造図である。図１３に示されるように、ネットワークデバイスは、プロセッサ４２及び送信器４３を含む。加えて、ネットワークデバイスは、メモリ４１をさらに含んでよい。
【０２５８】
プロセッサ４２は、探索空間を決定するように構成される。
【０２５９】
送信器４３は、
第１命令を送信し、第１シグナリングは、探索空間の構成情報を含み、構成情報は、周波数領域リソース又は制御チャネルエレメントＣＣＥリソースを示すべく用いられ、
探索空間においてダウンリンク制御情報を送信する
ように構成される。
【０２６０】
任意で、プロセッサ４２は、さらに、制御チャネルエリアを決定するように構成され、探索空間は制御チャネルエリア内に位置する。
【０２６１】
任意で、探索空間の構成情報は、アグリゲーションレベルＬ及び探索空間開始ポイント識別子Ｙを示し、プロセッサ４２は、具体的には、
番号が
【数４８】
2019517208.tif 000051
であるＣＣＥを探索空間が含むと決定するように構成され、ｉ＝０，...，Ｌ−１であり、ｍ＝０，...，Ｍ（Ｌ）−１であり、Ｍ（Ｌ）は、アグリゲーションレベルがＬである探索空間に含まれる候補ダウンリンク制御チャネルの数であり、ＮＣＣＥは、探索空間により占有される伝送時間間隔において利用可能なＣＣＥの総数を表す。
【０２６２】
任意で、送信器４３は、さらに、第２シグナリングを送信するように構成され、第２シグナリングは、制御チャネルエリアにより占有されるリソースを示し、第２シグナリングは、ＮＣＣＥＧ個の情報フィールドを含み、ＮＣＣＥＧ個の情報フィールドのｉ番目の情報フィールドは、制御チャネルエレメントグループＣＣＥＧｉ−１内のＨ個のＣＣＥが制御チャネルエリア用に構成されることを示し、ｉはＮＣＣＥＧより大きくない正の整数であり、ＣＣＥＧｉ−１はＧ個のＣＣＥを含み、Ｇは正の整数であり、ＨはＧより大きくない非負整数である。
【０２６３】
任意で、送信器４３により送信される第２シグナリングにおいて示されるＧは、８に等しく、Ｈは０、２、４、又は８であり、ｉ番目の情報フィールドのビットの数は２である。
【０２６４】
任意で、探索空間のものであり、かつ、送信器４３により送信される構成情報は、探索空間がＣＣＥＧｊに位置することを示す、又は、探索空間の構成情報は、探索空間の開始ポイントがＣＣＥＧｊであることを示し、ｊはＮＣＣＥＧより小さい非負整数である。
【０２６５】
任意で、送信器４３により受信される第１シグナリングは、さらに、制御チャネルエリアの構成情報を含み、制御チャネルエリアの構成情報は、制御チャネルエリアがＥ個の連続するＣＣＥＧを占有することを示し、探索空間の構成情報は、探索空間の開始ポイントがＣＣＥＧｉであることを示し、Ｅは正の整数であり、ｉはＥより小さい非負整数である。
【０２６６】
任意で、送信器４３は、さらに、第３シグナリングを送信するように構成され、第３シグナリングは、制御チャネルエリアがＮ個のショートリソースブロックを占有することを示し、各ショートリソースブロックは、周波数ドメインにおいて１２個のサブキャリアを占有し、かつ、時間領域において１つ又は２つのシンボルを占有し、Ｎは、３又は４で割り切ることができる。
【０２６７】
任意で、送信器４３は、さらに、第４シグナリングを送信するように構成され、第４シグナリングは、制御チャネルエリアがＭ個の連続する仮想ショートリソースブロックを占有することを示し、Ｍは、３又は４で割り切ることができる正の整数である。
【０２６８】
Ｍ個の連続する仮想ショートリソースブロックは、Ｍ個の不連続な物理ショートリソースブロックに対応する。
【０２６９】
任意で、送信器４３は、さらに、第５シグナリングを送信するように構成され、第５シグナリングは、制御チャネルエリアがＺ個の連続するＣＣＥを占有することを示し、Ｚは正の整数である。
【０２７０】
図１３がネットワークデバイスの簡略設計を示すに過ぎないことが理解され得る。実際の適用では、ネットワークデバイスは、任意の数の受信器、送信器、プロセッサ、コントローラ、メモリ等を含んでよく、本発明を実装できるすべてのネットワークデバイスは、本発明の保護範囲に含まれる。一般性を失うことなく、送信器及び受信器がトランシーバに統合されてよい。
【０２７１】
本実施形態において提供されるネットワークデバイスは、前述の方法の実施形態のうちのいずれか１つにおける技術的解決手段を実行するように構成され、ネットワークデバイスの実装原理及び技術的効果は、方法の実施形態のそれらと同様である。詳細はここでは再度説明しない。
【０２７２】
前述の端末デバイス及びネットワークデバイスの実施形態において、プロセッサは、中央演算処理装置（英語、Ｃｅｎｔｒａｌ  Ｐｒｏｃｅｓｓｉｎｇ  Ｕｎｉｔ、略して、ＣＰＵ）であってよい、又は、別の汎用プロセッサ、デジタル信号プロセッサ（英語、Ｄｉｇｉｔａｌ  Ｓｉｇｎａｌ  Ｐｒｏｃｅｓｓｏｒ、略して、ＤＳＰ）、特定用途向け集積回路（英語、Ａｐｐｌｉｃａｔｉｏｎ−Ｓｐｅｃｉｆｉｃ  Ｉｎｔｅｇｒａｔｅｄ  Ｃｉｒｃｕｉｔ、略して、ＡＳＩＣ）等であってよいことを理解されたい。汎用プロセッサはマイクロプロセッサであってよい、又は、プロセッサは任意の従来のプロセッサ等であってよい。本発明の実施形態に関連して開示された方法の段階は、ハードウェアプロセッサにより直接的に実行されてよい、又は、プロセッサ内のハードウェア及びソフトウェアモジュールの組み合わせを用いることにより実行されてよい。
【０２７３】
当業者は、方法の実施形態の段階のすべて又は一部がプログラム命令に関連するハードウェアにより実装され得ることを理解し得る。プログラムは、コンピュータ可読記憶媒体に格納されてよい。プログラムが実行されるとき、実施形態における方法の段階が実行される。記憶媒体は、リードオンリメモリ（英語、ｒｅａｄ−ｏｎｌｙ  ｍｅｍｏｒｙ、略して、ＲＯＭ）、ＲＡＭ、フラッシュメモリ、ハードディスク、ソリッドステートディスク、磁気テープ（英語、ｍａｇｎｅｔｉｃ  ｔａｐｅ）、フロッピーディスク（英語、ｆｌｏｐｐｙ  ｄｉｓｋ）、光ディスク（英語、ｏｐｔｉｃａｌ  ｄｉｓｃ）、及び任意のそれらの組み合わせを含む。
【０２７４】
最後に、前述の実施形態は、本発明の技術的解決手段を説明することを意図したものに過ぎず、本発明を限定するものではないことに留意されたい。本発明は、前述の実施形態に関連して詳細に説明されているが、本発明の実施形態の技術的解決手段の範囲から逸脱することなく、当業者が、前述の実施形態において説明された技術的解決手段に対する変更をさらに行い得る、又は、それらの一部又はすべての技術的特徴に対する同等の置き換えを行い得ることを、当業者は理解すべきである。
【図１】
2019517208.tif 000056
【図２】
2019517208.tif 000057
【図３】
2019517208.tif 000058
【図４】
2019517208.tif 000059
【図５】
2019517208.tif 000060
【図６】
2019517208.tif 000061
【図７】
2019517208.tif 000062
【図８】
2019517208.tif 000063
【図９】
2019517208.tif 000064
【図１０】
2019517208.tif 000065
【図１１】
2019517208.tif 000066
【図１２】
2019517208.tif 000067
【図１３】
2019517208.tif 000068
【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
ダウンリンク制御情報の検出方法であって、
端末デバイスにより、第１シグナリングを受信する段階であって、前記第１シグナリングは、探索空間の構成情報を有する、段階と、
前記端末デバイスにより、前記探索空間の前記構成情報に基づいて、前記探索空間により占有される周波数領域リソース又は制御チャネルエレメント（ＣＣＥ）リソースを決定する段階と、
前記端末デバイスにより、前記探索空間においてダウンリンク制御情報を検出する段階と
を備える方法。
【請求項２】
前記端末デバイスにより、前記探索空間においてダウンリンク制御情報を前記検出する段階の前に、前記方法は、さらに、
前記端末デバイスにより、制御チャネルエリアを決定する段階であって、前記探索空間は前記制御チャネルエリア内に位置する、段階を備える、請求項１に記載の方法。
【請求項３】
前記端末デバイスにより、制御チャネルエリアを前記決定する段階の前に、前記方法は、さらに、
前記端末デバイスにより、第２シグナリングを受信する段階であって、前記第２シグナリングは、前記制御チャネルエリアにより占有されるリソースを示し、前記第２シグナリングは、ＮＣＣＥＧ個の情報フィールドを有し、前記ＮＣＣＥＧ個の情報フィールドのｉ番目の情報フィールドは、制御チャネルエレメントグループＣＣＥＧｉ−１内のＨ個のＣＣＥが前記制御チャネルエリア用に構成されることを示し、ｉはＮＣＣＥＧより大きくない正の整数であり、前記ＣＣＥＧｉ−１はＧ個のＣＣＥからなり、Ｇは正の整数であり、ＨはＧに等しい、段階を備える、請求項２に記載の方法。
【請求項４】
前記第１シグナリングは、さらに、前記制御チャネルエリアの構成情報を有し、前記探索空間の前記構成情報は、前記探索空間の開始ポイントがＣＣＥｉであることを示し、前記制御チャネルエリアの前記構成情報は、前記制御チャネルエリアがＸ個の連続するＣＣＥを占有することを示し、Ｘは正の整数であり、ｉはＸより小さい非負整数であり、又は、
前記第１シグナリングは、さらに、前記制御チャネルエリアの構成情報を有し、前記制御チャネルエリアの前記構成情報は、前記制御チャネルエリアがＥ個の連続するＣＣＥＧを占有することを示し、前記探索空間の前記構成情報は、前記探索空間の開始ポイントがＣＣＥＧｉであることを示し、Ｅは正の整数であり、ｉはＥより小さい非負整数であり、
前記端末デバイスにより、制御チャネルエリアを前記決定する段階は、
前記端末デバイスにより、前記制御チャネルエリアの前記構成情報に基づいて、前記制御チャネルエリアを決定する段階を有する、請求項２又は３に記載の方法。
【請求項５】
前記端末デバイスにより、制御チャネルエリアを前記決定する段階の前に、さらに、
前記端末デバイスにより、第３シグナリングを受信する段階であって、前記第３シグナリングは、前記制御チャネルエリアがＮ個のショートリソースブロックを占有することを示し、各ショートリソースブロックは、周波数ドメインにおいて１２個のサブキャリアを占有し、かつ、時間領域において１つ又は２つのシンボルを占有し、Ｎは、４で割り切ることができる、段階を備え、
前記端末デバイスにより、制御チャネルエリアを前記決定する段階は、
前記端末デバイスにより、前記第３シグナリングに基づいて前記制御チャネルエリアを決定する段階を有する、請求項２に記載の方法。
【請求項６】
前記探索空間の前記構成情報は、アグリゲーションレベルＬ及び探索空間開始ポイント識別子Ｙを示す、請求項１から５のいずれか一項に記載の方法。
【請求項７】
ダウンリンク制御情報の送信方法であって、
ネットワークデバイスにより、第１シグナリングを送信する段階であって、前記第１シグナリングは、探索空間の構成情報を有し、前記構成情報は、周波数領域リソース又は制御チャネルエレメント（ＣＣＥ）リソースを示すべく用いられる、段階と、
前記ネットワークデバイスにより、前記探索空間においてダウンリンク制御情報を送信する段階と
を備える方法。
【請求項８】
ネットワークデバイスにより、第１シグナリングを前記送信する段階の前に、さらに、
前記ネットワークデバイスにより、制御チャネルエリアを決定する段階であって、前記探索空間は、前記制御チャネルエリア内に位置する、段階を備える、請求項７に記載の方法。
【請求項９】
前記方法は、さらに、
前記ネットワークデバイスにより、第２シグナリングを送信する段階であって、前記第２シグナリングは、前記制御チャネルエリアにより占有されるリソースを示し、前記第２シグナリングは、ＮＣＣＥＧ個の情報フィールドを有し、前記ＮＣＣＥＧ個の情報フィールドのｉ番目の情報フィールドは、制御チャネルエレメントグループＣＣＥＧｉ−１内のＨ個のＣＣＥが前記制御チャネルエリア用に構成されることを示し、ｉはＮＣＣＥＧより大きくない正の整数であり、前記ＣＣＥＧｉ−１はＧ個のＣＣＥからなり、Ｇは正の整数であり、ＨはＧに等しい、段階を備える、請求項８に記載の方法。
【請求項１０】
前記第１シグナリングは、さらに、前記制御チャネルエリアの構成情報を有し、前記探索空間の前記構成情報は、前記探索空間の開始ポイントがＣＣＥｉであることを示し、前記制御チャネルエリアの前記構成情報は、前記制御チャネルエリアがＸ個の連続するＣＣＥを占有することを示し、Ｘは正の整数であり、ｉはＸより小さい非負整数である、又は、
前記第１シグナリングは、さらに、前記制御チャネルエリアの構成情報を有し、前記制御チャネルエリアの前記構成情報は、前記制御チャネルエリアがＥ個の連続するＣＣＥＧを占有することを示し、前記探索空間の前記構成情報は、前記探索空間の開始ポイントがＣＣＥＧｉであることを示し、Ｅは正の整数であり、ｉはＥより小さい非負整数である、請求項８又は９に記載の方法。
【請求項１１】
前記ネットワークデバイスにより、前記探索空間においてダウンリンク制御情報を前記送信する段階の前に、前記方法は、さらに、
前記ネットワークデバイスにより、第３シグナリングを送信する段階であって、前記第３シグナリングは、前記制御チャネルエリアがＮ個のショートリソースブロックを占有することを示し、各ショートリソースブロックは、周波数ドメインにおいて１２個のサブキャリアを占有し、かつ、時間領域において１つ又は２つのシンボルを占有し、Ｎは、３又は４で割り切ることができる、段階を備える、請求項８に記載の方法。
【請求項１２】
前記探索空間の前記構成情報は、アグリゲーションレベルＬ及び探索空間開始ポイント識別子Ｙを示す、請求項７から１１のいずれか一項に記載の方法。
【請求項１３】
第１シグナリングを受信するように構成される受信モジュールであって、前記第１シグナリングは、探索空間の構成情報を有する、受信モジュールと、
前記探索空間の前記構成情報に基づいて、前記探索空間により占有される周波数領域リソース又は制御チャネルエレメント（ＣＣＥ）リソースを決定するように構成される処理モジュールと
を備え、
前記処理モジュールは、さらに、前記探索空間においてダウンリンク制御情報を検出するように構成される、端末デバイス。
【請求項１４】
前記処理モジュールは、さらに、制御チャネルエリアを決定するように構成され、前記探索空間は前記制御チャネルエリア内に位置する、請求項１３に記載の端末デバイス。
【請求項１５】
前記受信モジュールは、さらに、第２シグナリングを受信するように構成され、前記第２シグナリングは、前記制御チャネルエリアにより占有されるリソースを示し、前記第２シグナリングは、ＮＣＣＥＧ個の情報フィールドを有し、前記ＮＣＣＥＧ個の情報フィールドのｉ番目の情報フィールドは、制御チャネルエレメントグループＣＣＥＧｉ−１内のＨ個のＣＣＥが前記制御チャネルエリア用に構成されることを示し、ｉはＮＣＣＥＧより大きくない正の整数であり、前記ＣＣＥＧｉ−１はＧ個のＣＣＥからなり、Ｇは正の整数であり、ＨはＧに等しい、請求項１４に記載の端末デバイス。
【請求項１６】
前記受信モジュールにより受信される前記第１シグナリングは、さらに、前記制御チャネルエリアの構成情報を有し、前記探索空間の前記構成情報は、前記探索空間の開始ポイントがＣＣＥｉであることを示し、前記制御チャネルエリアの前記構成情報は、前記制御チャネルエリアがＸ個の連続するＣＣＥを占有することを示し、Ｘは正の整数であり、ｉはＸより小さい非負整数であり、又は、
前記受信モジュールにより受信される前記第１シグナリングは、さらに、前記制御チャネルエリアの構成情報を有し、前記制御チャネルエリアの前記構成情報は、前記制御チャネルエリアがＥ個の連続するＣＣＥＧを占有することを示し、前記探索空間の前記構成情報は、前記探索空間の開始ポイントがＣＣＥＧｉであることを示し、Ｅは正の整数であり、ｉはＥより小さい非負整数であり、
前記処理モジュールは、具体的には、前記制御チャネルエリアの前記構成情報に基づいて、前記制御チャネルエリアを決定するように構成される、請求項１４又は１５に記載の端末デバイス。
【請求項１７】
前記受信モジュールは、さらに、第３シグナリングを受信するように構成され、前記第３シグナリングは、前記制御チャネルエリアがＮ個のショートリソースブロックを占有することを示し、各ショートリソースブロックは、周波数ドメインにおいて１２個のサブキャリアを占有し、かつ、時間領域において１つ又は２つのシンボルを占有し、Ｎは、３又は４で割り切ることができ、
前記処理モジュールは、さらに具体的には、
前記第３シグナリングに基づいて、前記制御チャネルエリアを決定するように構成される、請求項１４に記載の端末デバイス。
【請求項１８】
前記探索空間の前記構成情報は、アグリゲーションレベルＬ及び探索空間開始ポイント識別子Ｙを示す、請求項１３から１７のいずれか一項に記載の端末デバイス。
【請求項１９】
探索空間を決定するように構成される処理モジュールと、
第１シグナリングを送信するように構成される送信モジュールであって、前記第１シグナリングは、探索空間の構成情報を有し、前記構成情報は、周波数領域リソース又は制御チャネルエレメント（ＣＣＥ）リソースを示すべく用いられる、送信モジュールと
を備え、
前記送信モジュールは、さらに、前記探索空間においてダウンリンク制御情報を送信するように構成される、ネットワークデバイス。
【請求項２０】
前記処理モジュールは、さらに、制御チャネルエリアを決定するように構成され、前記探索空間は前記制御チャネルエリア内に位置する、請求項１９に記載のネットワークデバイス。
【請求項２１】
前記送信モジュールは、さらに、第２シグナリングを送信するように構成され、前記第２シグナリングは、前記制御チャネルエリアにより占有されるリソースを示し、前記第２シグナリングは、ＮＣＣＥＧ個の情報フィールドを有し、前記ＮＣＣＥＧ個の情報フィールドのｉ番目の情報フィールドは、制御チャネルエレメントグループＣＣＥＧｉ−１内のＨ個のＣＣＥが前記制御チャネルエリア用に構成されることを示し、ｉはＮＣＣＥＧより大きくない正の整数であり、前記ＣＣＥＧｉ−１はＧ個のＣＣＥからなり、Ｇは正の整数であり、ＨはＧに等しい、請求項２０に記載のネットワークデバイス。
【請求項２２】
前記第１シグナリングは、さらに、前記制御チャネルエリアの構成情報を有し、前記探索空間の前記構成情報は、前記探索空間の開始ポイントがＣＣＥｉであることを示し、前記制御チャネルエリアの前記構成情報は、前記制御チャネルエリアがＸ個の連続するＣＣＥを占有することを示し、Ｘは正の整数であり、ｉはＸより小さい非負整数であり、又は、
前記送信モジュールにより送信される前記第１シグナリングは、さらに、前記制御チャネルエリアの構成情報を有し、前記制御チャネルエリアの前記構成情報は、前記制御チャネルエリアがＥ個の連続するＣＣＥＧを占有することを示し、前記探索空間の前記構成情報は、前記探索空間の開始ポイントがＣＣＥＧｉであることを示し、Ｅは正の整数であり、ｉはＥより小さい非負整数である、請求項２０又は２１に記載のネットワークデバイス。
【請求項２３】
前記送信モジュールは、さらに、第３シグナリングを送信するように構成され、前記第３シグナリングは、前記制御チャネルエリアがＮ個のショートリソースブロックを占有することを示し、各ショートリソースブロックは、周波数ドメインにおいて１２個のサブキャリアを占有し、かつ、時間領域において１つ又は２つのシンボルを占有し、Ｎは、３又は４で割り切ることができる、請求項２０に記載のネットワークデバイス。
【請求項２４】
前記探索空間の前記構成情報は、アグリゲーションレベルＬ及び探索空間開始ポイント識別子Ｙを示す、請求項１９から２３のいずれか一項に記載のネットワークデバイス。
【手続補正２】
【補正対象書類名】明細書
【補正対象項目名】００５７
【補正方法】変更
【補正の内容】
【００５７】
【図１１】本発明に係るネットワークデバイスの実施形態１の概略構造図である。
【手続補正３】
【補正対象書類名】明細書
【補正対象項目名】００６１
【補正方法】変更
【補正の内容】
【００６１】
本願において提供されるダウンリンク制御情報伝送の解決手段は、無線通信システム、例えば、第３世代移動通信技術（Ｔｈｉｒｄ  Ｇｅｎｅｒａｔｉｏｎ  ｍｏｂｉｌｅ  ｃｏｍｍｕｎｉｃａｔｉｏｎ  ｔｅｃｈｎｏｌｏｇｙ、３Ｇ）、４．５Ｇ、又は５Ｇ通信システムに適用される。具体的には、本発明の実施形態は、ネットワークデバイス及び端末デバイス（ｔｅｒｍｉｎａｌ  ｄｅｖｉｃｅ又はｔｅｒｍｉｎａｌ  ｅｑｕｉｐｍｅｎｔ）を含む無線通信システムに適用されてよい。例えば、端末デバイス及びネットワークデバイスが互いに通信し、端末デバイス及び端末デバイスが互いに通信し、又は、ネットワークデバイス及びネットワークデバイスが互いに通信する。端末デバイスは、ユーザに音声及び／又はデータ接続を提供するデバイス、無線接続機能を有するハンドヘルドデバイス、又は、無線モデムに接続される別の処理デバイスであってよい。無線端末は、無線アクセスネットワーク（Ｒａｄｉｏ  Ａｃｃｅｓｓ  Ｎｅｔｗｏｒｋ、ＲＡＮ等）を用いることにより、１又は複数のコアネットワークと通信してよい。無線端末は、携帯電話（「セルラ」フォンとも称される）等のモバイル端末及びモバイル端末を有するコンピュータであってよく、例えば、無線アクセスネットワークを用いて音声及び／又はデータを交換するポータブル、ポケットサイズ、ハンドヘルド、コンピュータ内蔵式又は車載式のモバイル装置であってよい。例えば、無線端末は、パーソナル通信サービス（ｐｅｒｓｏｎａｌ  ｃｏｍｍｕｎｉｃａｔｉｏｎｓ  ｓｅｒｖｉｃｅ、ＰＣＳ）電話、コードレス電話セット、セッションイニシエーションプロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（ｗｉｒｅｌｅｓｓ  ｌｏｃａｌ  ｌｏｏｐ、ＷＬＬ）局、又は、パーソナルデジタルアシスタント（ｐｅｒｓｏｎａｌ  ｄｉｇｉｔａｌ  ａｓｓｉｓｔａｎｔ、ＰＤＡ）等のデバイスであってよい。無線端末は、システム、加入者ユニット（ｓｕｂｓｃｒｉｂｅｒ  ｕｎｉｔ、ＳＵ）、加入者局（ｓｕｂｓｃｒｉｂｅｒ  ｓｔａｔｉｏｎ、ＳＳ）、移動局（ｍｏｂｉｌｅ  ｓｔａｔｉｏｎ、ＭＳ）、モバイルコンソール（ｍｏｂｉｌｅ  ｃｏｎｓｏｌｅ、ＭＣ）、リモート局（ｒｅｍｏｔｅ  ｓｔａｔｉｏｎ、ＲＳ）、アクセスポイント（ａｃｃｅｓｓ  ｐｏｉｎｔ、ＡＰ）、リモート端末（ｒｅｍｏｔｅ  ｔｅｒｍｉｎａｌ、ＲＴ）、アクセス端末（ａｃｃｅｓｓ  ｔｅｒｍｉｎａｌ、ＡＴ）、ユーザ端末（ｕｓｅｒ  ｔｅｒｍｉｎａｌ、ＵＴ）、ユーザエージェント（ｕｓｅｒ  ａｇｅｎｔ、ＵＡ）、ユーザデバイス、又は、ユーザ機器（ｕｓｅｒ  ｅｑｕｉｐｍｅｎｔ、ＵＥ）とも称されてよい。ネットワークデバイスは、基地局、進化型基地局、スケジューリング機能を有するリレー、基地局機能を有するデバイス等であってよい。基地局は、ＬＴＥシステムにおける進化型ノードＢ（ｅｖｏｌｖｅｄ  ＮｏｄｅＢ、ｅＮＢ、又はｅＮｏｄｅ）、又は、別のシステムにおける基地局であってよい。これは、本発明の実施形態において限定されるものではない。
【手続補正４】
【補正対象書類名】明細書
【補正対象項目名】０１７４
【補正方法】変更
【補正の内容】
【０１７４】
第４実装例：制御チャネルエリアは、Ｍ個の連続するＶＳＲＢを占有し、Ｍ個の連続するＶＳＲＢの開始ポイントは、利用可能な帯域幅において最も小さいＶＳＲＢ番号を有するＶＳＲＢであり、第４シグナリングは、Ｍ個の連続するＶＳＲＢのエンドポイントを示す。この場合、第４シグナリングは、Ｍを示すべく用いられるＢビットの情報を含み、ここで、
【数３７】
2019517208.tif 000069
である。例えば、ＭＶＲＢ＝５０であり、Ｂ＝６であり、開始ポイントは、番号が０であるＶＳＲＢであり、エンドポイントを示す情報は、００１００１（すなわち、Ｍ＝９）である。この場合、制御チャネルエリアは、ＶＳＲＢ番号が０から９である１０個の連続するＶＳＲＢを占有する。
【手続補正５】
【補正対象書類名】明細書
【補正対象項目名】０１７７
【補正方法】変更
【補正の内容】
【０１７７】
本実装例では、第４シグナリングのオーバヘッドが比較的少なく、特に、オーバヘッドは、ＶＳＲＢＧが用いられた後にさらに低減される。ネットワークデバイスが正確なチャネル状態情報を取得できない場合、ＤＶＳＲＢは、周波数領域のダイバーシティ利得を得るべく用いられてよい。
【手続補正６】
【補正対象書類名】明細書
【補正対象項目名】０１８４
【補正方法】変更
【補正の内容】
【０１８４】
任意で、第５シグナリングは、Ｚ個の連続するＣＣＥのうちの開始ポイント及びエンドポイントを示す。この場合、第５シグナリングは、Ｚ個の連続するＣＣＥを示すべく用いられるＢビットの情報を含み、ここで、
【数４０】
2019517208.tif 000070
である。
【手続補正７】
【補正対象書類名】明細書
【補正対象項目名】０１８５
【補正方法】変更
【補正の内容】
【０１８５】
任意で、Ｚ個の連続するＣＣＥの開始ポイントはＣＣＥ０であり、第５シグナリングはＺの値を示す、又は、第５シグナリングはＺ個の連続するＣＣＥのエンドポイントを示す。
【手続補正８】
【補正対象書類名】明細書
【補正対象項目名】０１９３
【補正方法】変更
【補正の内容】
【０１９３】
任意で、第６シグナリングの４つのインジケーション方法は以下のとおりである。
【手続補正９】
【補正対象書類名】明細書
【補正対象項目名】０２２１
【補正方法】変更
【補正の内容】
【０２２１】
図１１は、本発明に係るネットワークデバイスの実施形態１の概略構造図である。ネットワークデバイスは、前述の実施形態のうちのいずれか１つにおけるネットワークデバイスの技術的解決手段を実行するように構成されてよい。図１１に示されるように、ネットワークデバイス２０は、送信モジュール２１及び処理モジュール２２を含む。
【手続補正１０】
【補正対象書類名】明細書
【補正対象項目名】０２２９
【補正方法】変更
【補正の内容】
【０２２９】
任意で、送信モジュール２１により送信される第１シグナリングは、さらに、制御チャネルエリアの構成情報を含み、制御チャネルエリアの構成情報は、制御チャネルエリアがＥ個の連続するＣＣＥＧを占有することを示し、探索空間の構成情報は、探索空間の開始ポイントがＣＣＥＧｉであることを示し、Ｅは正の整数であり、ｉはＥより小さい非負整数である。
【手続補正１１】
【補正対象書類名】明細書
【補正対象項目名】０２３４
【補正方法】変更
【補正の内容】
【０２３４】
本実施形態におけるネットワークデバイスは、さらに、受信モジュールを含んでよいことに留意されたい。加えて、送信モジュール２１は送信ユニット２１とも称されてよく、処理モジュール２２は処理ユニット２２とも称されてよい。加えて、受信モジュール及び送信モジュール２１は、送受信モジュールに統合されてよい。
【国際調査報告】
2019517208.tif 000071
2019517208.tif 000072
2019517208.tif 000073
2019517208.tif 000074
2019517208.tif 000075
2019517208.tif 000076